(57)【特許請求の範囲】
【請求項１】
送信電力制御コマンドを受信することと、
前記送信電力制御コマンドにもとづいて、指令される送信電力レベルを決定することと、
前記指令される送信電力レベルにもとづいて、電力計算アルゴリズムを用いて送信電力レベルを調整することと、ここにおいて、前記送信電力レベルを調整することは、
前記指令される送信電力レベルの値が、最小送信電力閾値の値より大きく、最大送信電力閾値の値より小さいときに、送信帯域幅パラメータを用いることと、
前記指令される送信電力レベルの値が、前記最大送信電力閾値の値より大きいか等しい、または、前記最小送信電力閾値の値より小さいか等しいときに、前記送信帯域幅パラメータを、固定された、または半持続性の送信帯域幅パラメータの１つと置き換えることと、
を備える、
を備え、
前記電力計算アルゴリズムは、前記指令される送信電力が最大電力閾値より大きいか等しい、または、最小電力閾値より小さいか等しいときに、送信帯域幅パラメータを用いることから切り離される、方法。
【請求項２】
前記送信電力レベルを、最小送信電力閾値と最大送信電力閾値との少なくとも１つから切り離すこと、をさらに備える、請求項１に記載の方法。
【請求項３】
前記送信電力レベルを調整することは、
前記指令される送信電力レベルを最大送信電力閾値と比較することと、
前記指令される送信電力レベルと前記最大送信電力閾値との間の最小値を選択することと、
を備える、請求項１に記載の方法。
【請求項４】
前記指令される送信電力レベルと前記最大送信電力閾値との間の前記最小値が選択されたときに、前記指令される送信電力レベルが前記最大送信電力閾値より大きいか等しい場合、送信電力上昇コマンドを動作不能にすること、
をさらに備える、請求項３に記載の方法。
【請求項５】
前記送信電力レベルを調整することは、
前記指令される送信電力レベルを最小送信電力閾値と比較することと、
前記指令される送信電力レベルと前記最小送信電力閾値との間の最大値を選択することと、
を備える、請求項１に記載の方法。
【請求項６】
前記指令される送信電力レベルと前記最小送信電力閾値との間の前記最大値が選択されたときに、前記指令される送信電力レベルが前記最小送信電力閾値より小さいか等しい場合、送信電力降下コマンドを動作不能にすること、
をさらに備える、請求項５に記載の方法。
【請求項７】
前記電力計算アルゴリズムが前記送信帯域幅パラメータを用いることから切り離されたときに、前記送信帯域幅パラメータを、固定された、または、半持続性の最小帯域幅パラメータと置き換えること、
をさらに備える、請求項１に記載の方法。
【請求項８】
前記電力計算アルゴリズムが前記送信帯域幅パラメータを用いることから切り離されたときに、前記送信帯域幅パラメータを、固定された、または、半持続性の最大帯域幅パラメータと置き換えること、
をさらに備える、請求項１に記載の方法。
【請求項９】
前記指令される送信電力レベルの値が、最小送信電力閾値の値より大きく、最大送信電力閾値の値より小さいときに、送信フォーマットパラメータを用いることと、
前記指令される送信電力レベルの値が、前記最大送信電力閾値の値より大きいか等しい、または、前記最小送信電力閾値の値より小さいか等しいときに、前記送信フォーマットパラメータを、固定された、または半持続性の送信フォーマットパラメータの１つと置き換えることと、
をさらに備える、請求項１に記載の方法。
【請求項１０】
前記送信電力レベルを調整することは、
ｎ番目の時間間隔に係る差分送信電力制御コマンドを受信することと、
前記ｎ番目の時間間隔において、前記差分送信電力制御コマンドと（ｎ−１）番目の時間間隔に対して使われる送信電力レベルの合計に対応する電力レベルで送信することと、を備える、請求項１に記載の方法。
【請求項１１】
前記指令される送信電力レベルの値が最小送信電力閾値の値より大きく、最大送信電力閾値の値よりも小さいときに、前記送信電力レベルを調整するために、前記送信帯域幅パラメータと送信フォーマットパラメータを用いることと、
前記指令される送信電力レベルの値が前記最小送信電力閾値の値より小さいか等しいときに、前記送信電力レベルを、前記最小送信電力閾値の上の第１のオフセットに設定することと、
前記指令される送信電力レベルの値が前記最大送信電力閾値の値より大きいか等しいときに、前記送信電力レベルを、前記最大送信電力閾値の下の第２のオフセットに設定することと、
をさらに備える、請求項１に記載の方法。
【請求項１２】
前記指令される送信電力レベルは、観測基準信号帯域幅の基準値にもとづく、請求項１に記載の方法。
【請求項１３】
基準変調および符号化形式をもつ、固定された、または半持続性のトランスポートフォーマットパラメータにもとづいて、電力の余裕分の情報を報告すること、
をさらに備える、請求項１に記載の方法。
【請求項１４】
前記指令される送信電力レベルの値が、前記最大送信電力閾値の値より大きいか等しい場合に、前記送信電力制御コマンドを無視することと、前記送信電力レベルを基準値にリセットすることと、
をさらに備える、請求項２に記載の方法。
【請求項１５】
前記指令される送信電力レベルの値が、前記最小送信電力閾値の値より小さいか等しい場合に、前記送信電力制御コマンドを無視することと、前記送信電力レベルを基準値にリセットすることと、
をさらに備える、請求項２に記載の方法。
【請求項１６】
あらかじめ定められた数の電力降下コマンドが受信され、前記指令される送信電力レベルの値が前記最大送信電力閾値の値より大きいか等しい場合、前記送信電力レベルを基準値にリセットすること、
をさらに備える、請求項２に記載の方法。
【請求項１７】
あらかじめ定められた数の電力上昇コマンドが受信され、前記指令される送信電力レベルの値が前記最小送信電力閾値の値より小さいか等しい場合、前記送信電力レベルを基準値にリセットすること、
をさらに備える、請求項２に記載の方法。
【請求項１８】
送信電力制御コマンドを受信するための手段と、
前記送信電力制御コマンドにもとづいて、指令される送信電力レベルを決定するための手段と、
前記指令される送信電力レベルにもとづいて、電力計算アルゴリズムを用いて送信電力レベルを調整するための手段と、ここにおいて、前記送信電力レベルを調整するための手段は、
前記指令される送信電力レベルの値が、最小送信電力閾値の値より大きく、最大送信電力閾値の値より小さいときに、送信帯域幅パラメータを用いるための手段と、
前記指令される送信電力レベルの値が、前記最大送信電力閾値の値より大きいか等しい、または、前記最小送信電力閾値の値より小さいか等しいときに、前記送信帯域幅パラメータを、固定された、または半持続性の送信帯域幅パラメータの１つと置き換えるための手段と、
を備える、
を備え、
前記電力計算アルゴリズムは、前記指令される送信電力が最大電力閾値より大きいか等しい、または、最小電力閾値より小さいか等しいときに、送信帯域幅パラメータを用いることから切り離される、装置。
【請求項１９】
前記送信電力レベルを、最小送信電力閾値と最大送信電力閾値との少なくとも１つから切り離すための手段、をさらに備える、請求項１８に記載の装置。
【請求項２０】
前記送信電力レベルを調整するための手段は、
前記指令される送信電力レベルを最大送信電力閾値と比較するための手段と、
前記指令される送信電力レベルと前記最大送信電力閾値との間の最小値を選択するための手段と、
を備える、請求項１８に記載の装置。
【請求項２１】
前記指令される送信電力レベルと前記最大送信電力閾値との間の前記最小値が選択されたときに、前記指令される送信電力レベルが前記最大送信電力閾値より大きいか等しい場合、送信電力上昇コマンドを動作不能にするための手段、
をさらに備える、請求項２０に記載の装置。
【請求項２２】
前記送信電力レベルを調整するための前記手段は、
前記指令される送信電力レベルを最小送信電力閾値と比較するための手段と、
前記指令される送信電力レベルと前記最小送信電力閾値との間の最大値を選択するための手段と、
を備える、請求項１８に記載の装置。
【請求項２３】
前記指令される送信電力レベルと前記最小送信電力閾値との間の前記最大値が選択されたときに、前記指令される送信電力レベルが前記最小送信電力閾値より小さいか等しい場合、送信電力降下コマンドを動作不能にするための手段、
をさらに備える、請求項２２に記載の装置。
【請求項２４】
前記電力計算アルゴリズムが前記送信帯域幅パラメータを用いることから切り離されたときに、前記送信帯域幅パラメータを、固定された、または、半持続性の最小帯域幅パラメータと置き換えるための手段、
をさらに備える、請求項１８に記載の装置。
【請求項２５】
前記電力計算アルゴリズムが前記送信帯域幅パラメータを用いることから切り離されたときに、前記送信帯域幅パラメータを、固定された、または、半持続性の最大帯域幅パラメータと置き換えるための手段、
をさらに備える、請求項１８に記載の装置。
【請求項２６】
前記指令される送信電力レベルの値が、前記最大送信電力閾値の値より大きいか等しい場合に、前記送信電力制御コマンドを無視し、前記送信電力レベルを基準値にリセットするための手段、
をさらに備える、請求項１９に記載の装置。
【請求項２７】
前記指令される送信電力レベルの値が、前記最小送信電力閾値の値より小さいか等しい場合に、前記送信電力制御コマンドを無視し、前記送信電力レベルを基準値にリセットするための手段、
をさらに備える、請求項１９に記載の装置。
【請求項２８】
あらかじめ定められた数の電力降下コマンドが受信され、前記指令される送信電力レベルの値が前記最大送信電力閾値の値より大きいか等しい場合、前記送信電力レベルを基準値にリセットするための手段、
をさらに備える、請求項１９に記載の装置。
【請求項２９】
あらかじめ定められた数の電力上昇コマンドが受信され、前記指令される送信電力レベルの値が前記最小送信電力閾値の値より小さいか等しい場合、前記送信電力レベルを基準値にリセットするための手段、
をさらに備える、請求項１９に記載の装置。
【請求項３０】
前記指令される送信電力レベルの値が、最小送信電力閾値の値より大きく、最大送信電力閾値の値より小さいときに、送信フォーマットパラメータを用いるための手段と、
前記指令される送信電力レベルの値が、前記最大送信電力閾値の値より大きいか等しい、または、前記最小送信電力閾値の値より小さいか等しいときに、前記送信フォーマットパラメータを、固定された、または半持続性の送信フォーマットパラメータの１つと置き換えるための手段と、
をさらに備える、請求項１８に記載の装置。
【請求項３１】
前記送信電力レベルを調整するための前記手段は、
ｎ番目の時間間隔に係る差分送信電力制御コマンドを受信するための手段と、
前記ｎ番目の時間間隔において、前記差分送信電力制御コマンドと（ｎ−１）番目の時間間隔に対して使われる送信電力レベルの合計に対応する電力レベルで送信するための手段と、
を備える、請求項１８に記載の装置。
【請求項３２】
前記指令される送信電力レベルの値が最小送信電力閾値の値より大きく、最大送信電力閾値の値よりも小さいときに、前記送信電力レベルを調整するために、前記送信帯域幅パラメータと送信フォーマットパラメータを用いるための手段と、
前記指令される送信電力レベルの値が前記最小送信電力閾値の値より小さいか等しいときに、前記送信電力レベルを、前記最小送信電力閾値の上の第１のオフセットに設定するための手段と、
前記指令される送信電力レベルの値が前記最大送信電力閾値の値より大きいか等しいときに、前記送信電力レベルを、前記最大送信電力閾値の下の第２のオフセットに設定するための手段と、
をさらに備える、請求項１８に記載の装置。
【請求項３３】
請求項１乃至請求項１７のいずれかの１項に記載の方法をコンピュータに実行させるためのプログラム。
【発明の詳細な説明】
【米国特許法第１１９条の下での優先権の主張】
【０００１】
本願は、２００９年１２月３０日に出願された、“Interaction Between Accumulative Power Control and Maximum/Minimum Transmit Power in Long Term Evolution Systems”の名称の米国仮特許出願６１／２９１，３３２号に優先権を主張し、その内容は、参照を行うことによりこの中に組み入れられる。本出願は、また、２０１０年２月５日に出願された、“Uplink Power Design With Respect to Maximum and Minimum Power Saturation in LTE-Advanced”の名称の米国仮特許出願６１／３０２，０３１号に優先権を主張し、その内容は、参照を行うことによりこの中に組み入れられる。
【技術分野】
【０００２】
本願発明は、一般的に、無線通信分野に関連し、特に、上りリンク送信電力を制御するためのシステムと方法に係る。
【背景技術】
【０００３】
この章は、開示される実施形態の背景や状況を示すことを意図されている。この中の記載は、追求され得たであろう概念を含むかもしれないが、必ずしも、以前に着想されている、または、追求されていたものではない。従って、この中に別途示されない限り、この章に記載されることは、本出願の記載または請求項への先行技術ではなく、および、この章に含まれることにより先行技術であるとの自白にもならない。
【０００４】
無線通信ステムは、音声、データ、等のようないろいろな形の通信を提供するために、広く使われる。これらのシステムは、利用可能なシステム資源（例えば、帯域幅や送信電力）を共用することにより、複数のユーザとの通信をサポートすることができる多元接続システムであってもよい。そのような多元接続システムの例は、コード分割多元接続（code division multiple access (CDMA)）システム、時分割多元接続（time division multiple access (TDMA)）システム、周波数分割多元接続（frequency division multiple access (FDMA)）システム、３GPP ロング・ターム・エボリューション（Long Term Evolution (LTE)）システム、および、直交周波数分割多元接続（orthogonal frequency division multiple access (OFDMA)）システムを含む。
【０００５】
移動通信システムにおける上りリンク送信電力制御は、所望のサービス品質（例えば、データレートやエラーレート）を達成するためのビットあたりの送信される十分なエネルギーへの要求の、システムの他のユーザへの干渉を最小化したり、移動体端末の電池寿命を最大化したりするための要求に対するバランスにある。この目標を達成するために、上りリンク電力制御は、経路損失、シャドウイング、高速フェージング、同じセルや近くのセルの中の他のユーザからの干渉を含む、無線伝播チャネルの特性に適合されなければならない。
【０００６】
ＬＴＥ 第８版において、物理上りリンク共有チャネル（physical uplink shared channel (PUSCH)）の電力制御は、チャネル状態に応じて不連続な刻みの大きさで送信電力を増加または減少する閉ループ累積電力制御（accumulative power control (APC)）のアルゴリズムにより管理され、そこでは、電力が設定される最大または最小電力レベルに到達すると、増加または減少のそれぞれが止められる。送信電力の計算処理は、スケジュールされるＰＵＳＣＨ送信にもとづいている。しかし、上りチャネルの帯域幅、および／または、変調／符号化スキームが、変更されていく資源付与に応じて増加または減少される場合、スケジュールされるＰＵＳＣＨ送信に依存して、このアルゴリズムは、過大電力や過小電力状態に陥ることもある。
【発明の概要】
【０００７】
開示される実施形態は、無線通信システムにおける電力制御を実装するためのシステム、方法、装置およびコンピュータプログラムに関係する。
【０００８】
開示される実施形態は、送信電力制御コマンドを受け、送信電力制御コマンドにもとづいて指示される送信電力レベルを決め、指令される送信電力レベルにもとづいて送信電力レベルを調整するための方法、装置、および、製品を含み、ここで、送信電力レベルは、送信帯域幅パラメータ、トランスポートフォーマットパラメータ、および電力刻みの大きさの制限の少なくとも１つから切り離される。
【０００９】
他に開示される実施形態は、移動体デバイスから経路損失の推定を受け、移動体デバイスに送信電力制御コマンドを送るための方法、装置、および製品を含み、ここで、送信電力制御コマンドは、送信帯域幅パラメータ、トランスポートフォーマットパラメータ、および電力刻みの大きさの制限の少なくとも１つから切り離され、送信電力制御コマンドは、移動体デバイスの送信電力レベルを調整するよう構成される。
【００１０】
さらに他の実施形態は、ある数の基準帯域幅、または、ある数の変調および符号化形式（modulation and coding scheme (MCS)）応じて、ある数の上り送信電力制御ループを維持し、下りリンク制御チャネルで受信される送信電力制御（transmit power control (TPC)）コマンドを用いて上りリンク送信電力制御ループの各々を更新し、下りリンク制御チャネルにおける帯域幅の割り当てと、下りリンク制御チャネルにおけるＭＣＳの割り当てとのいずれか一方にもとづいて、上りリンク送信電力を制御するために上りリンク送信電力制御ループの１つを選択するための方法、装置、および製品を含む。
【００１１】
様々な実施形態のこれらと他の特徴は、それらの構成と動作の方法とともに、以降の詳細な説明が添付の図面と併せて考慮されることで明瞭になり、なお、添付図面において、同様な参照符号が、通しで、同様な部分を指すのに用いられる。
【００１２】
提示される実施形態は、添付図面の各図において、例示として示されるもので、限定ではない。
【図面の簡単な説明】
【００１３】
【図１】図１は、無線通信システムを示す。
【図２】図２は、無線通信システムのブロック図を示す。
【図３】図３は、従来の電力制御方法を示す。
【図４】図４は、従来の電力制御方法を示す。
【図５】図５は、従来の電力制御方法を示す。
【図６】図６は、従来の電力制御方法を示す。
【図７】図７は、従来の電力制御方法を示す。
【図８】図８は、従来の電力制御方法を示す。
【図９】図９は、一実施形態に従う電力制御方法を示す。
【図１０】図１０は、一実施形態に従う電力制御方法を示す。
【図１１】図１１は、一実施形態に従う電力制御方法を示す。
【図１２】図１２は、一実施形態における無線通信システムを示す。
【図１３】図１３は、一実施形態における基地局のブロック図を示す。
【図１４】図１３は、一実施形態における無線端末のブロック図を示す。
【図１５】図１５は、一実施形態におけるシステムの機能ブロック図を示す。
【図１６】図１６は、一実施形態に従う方法のフローチャートである。
【詳細な説明】
【００１４】
以下の記載において、説明の目的であり、限定の目的ではなく、開示される様々な実施形態の詳しい理解を与えるために、詳細や説明が記載される。
【００１５】
しかし、様々な実施形態は、これら詳細や説明から離れない他の実施形態で実施し得ることは、当該分野に習熟した者には明瞭である。
【００１６】
この中で使われるように、「コンポーネント、部、部品」、「モジュール」、「システム」等の用語は、ハードウェア、ファームウェア、ハードウェアとソフトウェアの組み合わせ、ソフトウェア、または、実行状態にあるソフトウェアのいずれかである、コンピュータ関連体をいうことを意図される。例えば、コンポーネントは、それらに限定されないが、プロセッサ上で実行中のプロセス、プロセッサ、オブジェクト、実行可能子、実行スレッド、プログラム、および／または、コンピュータであってもよい。例示として、計算処理デバイス上で動いているアプリケーションも当該計算処理デバイスも、両方とも、コンポーネントであり得る。１またはそれより多くのコンポーネントが、実行のプロセスおよび／またはスレッドの中に駐在でき、コンポーネントは、１つのコンピュータに局在されても、および／または、２つまたはそれより多くのコンピュータに間で分散されてもよい。加えて、これらのコンポーネントは、その上に格納される種々のデータ構造をもつ様々なコンピュータ読み出し可能媒体から実行され得る。コンポーネントは、１またはそれより多くのデータパケットをもつ信号に従うなど、ローカルおよび／または遠隔プロセスの手法により通信をしてもよい（例えば、ローカルシステムにおいて、分散システムにおいて、および／または、信号の手段による他のシステムとのインターネットのようなネットワークを介して、他のコンポーネントと協働する１つのコンポーネントからのデータ）。
【００１７】
さらに、ある実施形態が、ユーザ機器に関連してこの中に記載される。また、ユーザ機器は、ユーザ端末とも呼ばれ、システム、加入者ユニット、加入者ステーション、移動ステーション、移動無線端末、移動体デバイス、ノード、デバイス、遠隔ステーション、遠隔端末、端末、無線通信デバイス、無線通信装置、または、ユーザエージェントの機能のいくつかまたは全てを含み得る。ユーザ機器は、セルラ電話、コードレス電話、セッションイニシエーションプロトコル（Session Initiation Protocol (SIP)）電話、スマートフォン、ワイヤレスローカルループ（wireless local loop (WLL)）ステーション、パーソナルデジタルアシスタント（personal digital assistant (PDA)）、ラップトップ、携帯通信デバイス、携帯コンピューティングデバイス、衛星無線、無線モデムカード、および／または、無線システム上の通信のための他の処理デバイスであってよい。さらに、種々の態様が、基地局に関連してこの中に記載される。基地局は、１またはそれより多くの無線端末と通信するために利用され、アクセスポイント、ノード、ノードＢ（Node B）、進化型ノードＢ（evolved NodeB (eNB)）、または、何らかの他のネットワーク構成体とも呼ばれることができ、またそれらの機能のいくつかまたは全てを含み得る。基地局は、無線端末と、空中線インターフェイス上で通信を行う。通信は、１またはそれより多くのセクタを介して行われ得る。基地局は、受信される空中線インターフェイスフレームをＩＰパケットに変換することにより、インターネットプロトコル（ＩＰ）ネットワークを含み得る、無線端末と接続ネットワークの残りとの間のルータとして機能し得る。基地局は、また、空中線インターフェイスに係る属性の管理を調査することもでき、有線ネットワークと無線ネットワークとの間のゲートウェイであってもよい。
【００１８】
様々な態様、実施形態、または特徴が、数々のデバイス、コンポーネント、モジュール、等々を含み得るシステムに関して示される。種々のシステムは、追加のデバイス、コンポーネント、モジュールなどを含んでもよく、図に関連して説明される、デバイス、コンポーネント、モジュール等の全てを含んでいなくてもよいことが理解、認識されるべきである。また、これらのアプローチの組み合わせも使われ得る。
【００１９】
加えて、本記載において、「例示(exemplary)」という単語は、例（example）、実例（instance）、または例証（illustration）としての役目を負うことを意味するために用いられる。「例示」としてこの中に記載される全ての実施形態や設計例は、必ずしも、他の実施形態や設計例よりも好ましい、または利益があるとして解釈されない。むしろ、例示という単語の使用は、具体的な様式で概念を提示することが意図される。
【００２０】
開示される様々な実施形態は、通信システムの中に組み込まれ得る。一例では、当該通信システムは、システム全体の帯域を複数（ＮＦ）のサブキャリア（また、周波数サブチャネル、トーン、または周波数ビンと呼ばれることもある）に有効に区分する直交周波数分割多重（orthogonal frequency division multiplex (OFDM)）を利用する。ＯＦＤＭシステムに関し、送信されるべきデータ（即ち、情報ビット）は、まず、符号化されたビットを生成するために、特定の符号化形式でエンコードされ、符号化されたビットは、さらに、変調シンボルにマッピングされる複数ビットのシンボルにグループ化される。各変調シンボルは、データ送信用に用いられる特定の変調形式（例えば、Ｍ−ＰＳＫまたはＭ−ＱＡＭ）によって規定される信号コンスタレーションの中のある点に対応する。各周波数サブキャリアの帯域幅に依存し得る各時間間隔で、変調シンボルは、ＮＦ個の周波数サブキャリアの各々の上で送信される。従って、ＯＦＤＭは、システムの帯域幅にわたる異なる量の減衰によって特徴づけられる、周波数選択性フェージングによってもたらされるシンボル間干渉（inter-symbol interference (ISI)）を制するために使われ得る。
【００２１】
一般に、無線多元接続通信システムは、複数の無線端末のための通信を同時にサポートすることができる。各端末は、順方向および逆方向リンク上の送信を介して、１またはそれより多くの基地局と通信する。順方向リンク（または下りリンク）は、基地局から端末への通信リンクを指し、逆方向リンク（または上りリンク）は、端末から基地局への通信リンクを指す。この通信リンクは、単一入力−単一出力、複数入力−単一出力、または、複数入力−複数出力（ＭＩＭＯ）システムを介して確立され得る。
【００２２】
ＭＩＭＯシステムは、データ送信用に、複数（ＮＴ）の送信アンテナと複数（ＮＲ）の受信アンテナを用いる。ＮＴの送信およびＮＲの受信アンテナによって形成されるＭＩＭＯチャネルは、空間チャネルとよばれるＮＳ個の独立のチャネル、ここで、ＮＳ≦ｍｉｎ｛ＮＴ， ＮＲ｝、に分解される。ＮＳ個の独立のチャネルの各々は、次元に対応する。ＭＩＭＯシステムは、複数の送信および受信アンテナによって形成される追加の次元が利用される場合、改善された性能（例えば、より高いスループット、および／または、より大きな信頼性）を提供し得る。ＭＩＭＯシステムは、また、時分割多重（time division duplex (TDD)）、周波数分割多重（frequency division duplex (FDD)）システムをサポートする。ＴＤＤシステムにおいて、順方向および逆方向リンクの送信は、同じ周波数領域上であり、相反原理が逆方向リンクチャネルからの順方向リンクチャネルの推定を可能にする。これは、複数アンテナが基地局で利用可能であるとき、基地局が、順方向リンク上での送信ビーム形成利得を引き出すことを可能にする。
【００２３】
図１は、開示される様々な実施形態が実装され得る無線通信システムを示す。基地局１００は、複数のアンテナ群を有し、各アンテナ群は、１またはそれより多くのアンテナを備える。例えば、基地局１００が６本のアンテナを備える場合、１つのアンテナ群は第１のアンテナ１０４と第２のアンテナ１０６を備え、他のアンテナ群は、第３のアンテナ１０８と第４のアンテナ１１０とを備え、さらに第３のアンテナ群は第５のアンテナ１１２と第６のアンテナ１１４を備えてもよい。上記したアンテナ群の各々が２つのアンテナをもつこととして特定されているが、より多くの、またはより少ないアンテナが各アンテナ群において使用され得ることが注記される。
【００２４】
図１にもどって、第１のユーザ装置１１６は、第１の順方向リンク１２０上での第１のユーザ装置１１６への情報の送信と、第１の逆方向リンク１１８上での第１のユーザ装置からの情報の受信とを可能にするために、例えば、第５のアンテナ１１２と第６のアンテナ１１４との通信状態にあるものとして図示される。図１は、また、第２の順方向リンク１２６上で第２のユーザ装置１２２への情報の送信と、第２の逆方向リンク１２４上で第２のユーザ装置１２２からの情報の受信とを可能にするために、例えば第３のアンテナ１０８と第４のアンテナ１１０を用いて通信状態にある第２のユーザ装置１２２を示す。周波数分割多重（Frequency Division Duplex (FDD)）システムにおいて、図１に示される通信リンク１１８、１２０、１２４、および１２６は、通信のために異なる周波数を用い得る。例えば、第１の順方向リンク１２０は、第１の逆方向リンク１１８により用いられる周波数とは異なる周波数を使うことができる。
【００２５】
いくつかの実施形態では、アンテナの各群および／はそれらが通信するように設計されている領域は、基地局のセクタと呼ばれることもある。例えば、図１に示される異なるアンテナ群は、基地局１００のセクタの中のユーザ装置への通信をするよう設計され得る。順方向リンク１２０と１２６上の通信において、基地局１００の送信アンテナは、異なるユーザ装置１１６と１２２のための順方向リンクの信号対雑音比を改善するためにビーム形成（beamforming）を利用する。また、そのカバー領域を通じてランダムに散らばされるユーザ装置への送信のためにビーム形成を用いる基地局は、そのユーザ機器全てに単一のアンテナを介して無指向に送信をする基地局よりも、近くのセルの中のユーザ機器への干渉をより少なくする。
【００２６】
開示される様々な実施形態のいくつかに適応する通信ネットワークは、制御チャネルとトラフィックチャネルに分類される論理チャネルを有し得る。論理制御チャネルは、システム制御情報を放送（ブロードキャスト）するための下りリンク制御チャネルであるブロードキャスト制御チャネル（broadcast control channel (BCCH)）、呼び出し（ページング）情報を転送する下りリンク制御チャネルであるページング制御チャネル（paging control channel (PCCH)）、１またはいくつかの同報トラフィックチャネル（multicast traffic channels (MTCHs)）のためのマルチメディア放送／同報・サービス（multimedia broadcast and multicast service (MBMS)）のスケジューリングと制御の情報を送信するために用いられる１点対多点の下りリンクチャネルである同報制御チャネル（multicast control channel (MCCH)）を含んでもよい。一般的に、無線リソース制御（radio resource control (RRC)）接続を確立した後、ＭＣＣＨは、ＭＢＭＳを受信するユーザ機器によってのみ使用される。個別制御チャネル（Dedicated control channel (DCCH)）は、ＲＲＣ接続をもつユーザ機器によって用いられるユーザ固有制御情報のような、固有の制御情報を送信する１点対１点の双方向チャネルである、もう一つの論理制御チャネルである。共通制御チャネル（Common control channel (CCCH)）は、また、ランダムアクセス情報のために用いられ得る論理制御チャネルである。論理トラフィックチャネルは、ユーザ情報の転送のために１つのユーザ機器に固有な１点対１点の双方向チャネルである、個別トラフィックチャネル（dedicated traffic channel (DTCH)）を備える。また、同報・トラフィックチャネル（multicast traffic channel (MTCH)）は、トラフィックデータの１点対多点の下りリンク送信のために用いられ得る。
【００２７】
様々な実施形態のいくつかに適応する通信ネットワークは、加えて、下りリンク（downlink (DL)）と上りリンク（uplink (UL)）に分類される論理トランスポートチャネルを有し得る。ＤＬトランスポートチャネルは、ブロードキャストチャネル（broadcast channel (BCH)）、ダウンリンク共有データチャネル（downlink shared data channel (DL-SDCH)）、同報チャネル（multicast channel (MCH) ）、およびページングチャネル（Paging Channel (PCH)）を有し得る。ＵＬトランスポートチャネルは、ランダムアクセスチャネル（random access channel (RACH)）、リクエストチャネル（request channel (REQCH)）、上りリンク共有データチャネル（uplink shared data channel (UL-SDCH)）、および複数の物理チャネルを有し得る。
【００２８】
いくつかの開示される実施形態において、下りリンク物理チャネルは、共通パイロットチャネル（common pilot channel (CPICH)）、同期チャネル（synchronization channel (SCH)）、共通制御チャネル（common control channel (CCCH)）、共有下りリンク制御チャネル（shared downlink control channel (SDCCH)）、同報制御チャネル（multicast control channel (MCCH)）、共有上りリンクアサイメントチャネル（shared uplink assignment channel (SUACH)）、肯定応答チャネル（acknowledgement channel (ACKCH)）、下りリンク物理共有データチャネル（downlink physical shared data channel (DL-PSDCH)）、上りリンク電力制御チャネル（uplink power control channel (UPCCH)）、ページング指示チャネル（paging indicator channel (PICH)）、ロード指示チャネル（load indicator channel (LICH)）、物理放送チャネル（physical broadcast channel (PBCH)）、物理制御フォーマット指示チャネル（physical control format indicator channel (PCFICH)）、物理下りリンク制御チャネル（physical downlink control channel (PDCCH)）、物理ハイブリッドＡＲＱ指示チャネル（physical hybrid ARQ indicator channel (PHICH)）、物理下りリンク共有チャネル（physical downlink shared channel (PDSCH)）、および物理同報チャネル（physical multicast channel (PMCH)）のうちの少なくとも１つを有し得る。上りリンク物理チャネルは、物理ランダムアクセスチャネル（physical random access channel (PRACH)）、チャネル品質指示チャネル（channel quality indicator channel (CQICH)）、肯定応答チャネル（acknowledgement channel (ACKCH)）、アンテナサブセット指示チャネル（antenna subset indicator channel (ASICH)）、共有リクエストチャネル（shared request channel (SREQCH)）、上りリンク物理共有データチャネル（uplink physical shared data channel (UL-PSDCH)）、ブロードバンドパイロットチャネル（broadband pilot channel (BPICH)）、物理上りリンク制御チャネル（physical uplink control channel (PUCCH)）、および物理上りリンク共有チャネル（physical uplink shared channel (PUSCH)）のうちの少なくとも１つを有し得る。
【００２９】
更に、以下の用語や態様が、開示される様々な実施形態を記述することに用いられ得る。
【００３０】
３Ｇ（3rd Generation）    第３世代
３ＧＰＰ（3rd Generation Partnership Project）    第３世代パートナーシッププロジェクト
ＡＣＬＲ（Adjacent channel leakage ratio）    隣接チャネル漏洩比
ＡＣＰＲ（Adjacent channel power ratio）    隣接チャネル電力比
ＡＣＳ（Adjacent channel selectivity）    隣接チャネル選択性
ＡＤＳ（Advanced Design System）    先進デザインシステム
ＡＭＣ（Adaptive modulation and coding）    適応変調および符号化
Ａ−ＭＰＲ（Additional maximum power reduction）    追加最大電力削減
ＡＲＱ（Automatic repeat request）    自動再送要求
ＢＣＣＨ（Broadcast control channel）    放送制御チャネル
ＢＴＳ（Base transceiver station）    基地・トランシーバ・ステーション
ＣＣＥ（Channel Control Element）    チャネル制御エレメント
ＣＤＤ（Cyclic delay diversity）    循環遅延ダイバーシチ
ＣＣＤＦ（complementary cumulative distribution function）    累積確率分布
ＣＤＭＡ（Code division multiple access）    符号分割多元接続
ＣＦＩ（Control format indicator）    制御情報指示子
Ｃｏ−ＭＩＭＯ（Cooperative MIMO）    協調型ＭＩＭＯ
ＣＰ（Cyclic prefix）    循環プレフィックス
ＣＰＣＩＨ（Common pilot channel）    共通パイロットチャネル
ＣＰＲＩ（Common public radio interface）    共通公共無線インターフェイス
ＣＱＩ（Channel quality indicator）    チャネル品質指示子
ＣＲＣ（Cyclic redundancy check）    巡回冗長性検査
ＤＣＩ（Downlink control indicator）    下りリンク制御指示子
ＤＦＴ（Discrete Fourier transform）    離散フーリエ変換
ＤＦＴ−ＳＯＦＤＭ（Discrete Fourier transform spread OFDM）    離散フーリエ変換−拡散ＯＦＤＭ
ＤＬ（Downlink）    （基地局から加入者への送信）
ＤＬ−ＳＣＨ（Downlink shared channel）    下りリンク共有チャネル
ＤＳＰ（Digital signal processing）   デジタル信号処理
ＤＴ（Development toolset）    開発ツールセット
ＤＶＳＡ（Digital vector signal analysis）    デジタルベクトル信号解析
ＥＤＡ（Electronic design automation）    電子的設計自動化
Ｅ−ＤＣＨ（Enhanced dedicated channel）    強化型専用チャネル
Ｅ−ＵＴＲＡＮ（Evolved UMTS terrestrial radio access network）    進化型ＵＴＭＳ地上無線接続ネットワーク
ｅＭＢＳ（Evolved multimedia broadcast multicast service）    進化型マルチメディア放送／同報サービス
ｅＮＢ（Evolved Node B）    進化型ノードＢ
ＥＰＣ（Evolved packet core）    進化型パケットコア
ＥＰＲＥ（Energy per resource element）    リソースエレメントあたりのエネルギー
ＥＴＳＩ(European Telecommunications Standards Institute）    欧州通信規格機構
Ｅ−ＵＴＲＡ（Evolved UTRA）    進化型ＵＴＲＡ
Ｅ−ＵＴＲＡＮ（Evolved UTRAN）    進化型ＵＴＲＡＮ
ＥＶＭ（Error vector magnitude）   エラーベクトル量
ＦＤＤ（Frequency division duplex）    周波数分割多情
ＦＦＴ（Fast Fourier transform）    高速フーリエ変換
ＦＲＣ（Fixed reference channel）   固定基準チャネル
ＦＳ１（Frame structure type 1）    フレーム構造タイプ１
ＦＳ２（Frame structure type 2）    フレーム構造タイプ２
ＧＳＭ（登録商標）（Global system for mobile communication）    移動体通信用広域システム
ＨＡＲＱ（Hybrid automatic repeat request）    ハイブリッド自動応答要求
ＨＤＬ（Hardware description language）    ハードウェア記述言語
ＨＩ（HARQ indicator）    ＨＡＲＱ指示子
ＨＳＤＰＡ（High speed downlink packet access）   高速下りリンクパケット接続
ＨＳＰＡ（High speed packet access）    高速パケット接続
ＨＳＵＰＡ（High speed uplink packet access）    高速上りリンクパケット接続
ＩＦＦＴ（Inverse FFT）    逆ＦＦＴ
ＩＯＴ（Interoperability test）    互換性テスト
ＩＰ（Internet protocol）     インターネットプロトコル
ＬＯ（Local oscillator）    局部発信器
ＬＴＥ（Long term evolution）    ロングタームエボリューション
ＭＡＣ（Medium access control）    メディアアクセス制御
ＭＢＭＳ（Multimedia broadcast multicast service）    マルチメディア放送／同報サービス
ＭＢＳＦＮ(Multicast/broadcast over single-frequency network）    単一周波数上の同報／放送
ＭＣＨ（Multicast channel）    同報チャネル
ＭＣＳ（Modulation and Coding Scheme）    変調およびコード化形式
ＭＩＭＯ（Multiple input multiple output）    複数入力／複数出力
ＭＩＳＯ（Multiple input single output）    複数入力／単一出力
ＭＭＥ（Mobility management entity）    モビリティマネージメントエンティティ
ＭＯＰ（Maximum output power）    最大出力
ＭＰＲ（Maximum power reduction）    最大電力削減
ＭＵ−ＭＩＭＯ（Multiple user MIMO）    複数ユーザＭＩＭＯ
ＮＡＳ（Non-access stratum）    非アクセス層
ＯＢＳＡＩ(Open base station architecture interface）    オープン基地局アーキテクチャインタフェース
ＯＦＤＭ(Orthogonal frequency division multiplexing）    直交周波数分割多重
ＯＦＤＭＡ（Orthogonal frequency division multiple access）    直交周波数分割多元接続
ＰＡＰＲ（Peak-to-average power ratio）    ピーク−平均・電力比
ＰＡＲ（Peak-to-average ratio）    ピーク−平均比
ＰＢＣＨ（Physical broadcast channel）    物理放送チャネル
Ｐ−ＣＣＰＣＨ（Primary common control physical channel）    １次−共通制御物理チャネル
ＰＣＦＩＣＨ（Physical control format indicator channel）    物理制御フォーマット指示チャネル
ＰＣＨ（Paging channel）    ページング（呼び出し）チャネル
ＰＤＣＣＨ（Physical downlink control channel）    物理下りリンク制御チャネル
ＰＤＣＰ（Packet data convergence protocol）    パケットデータ収束プロトコル
ＰＤＳＣＨ（Physical downlink shared channel）    物理下りリンク共有チャネル
ＰＨＩＣＨ（Physical hybrid ARQ indicator channel）    物理ハイブリッドＡＲＱ指示チャネル
ＰＨＹ（Physical layer）    物理層
ＰＲＡＳＣＨ（Physical random access channel）    物理ランダムアクセスチャネル
ＰＭＣＨ（Physical multicast channel）    物理同報チャネル
ＰＭＩ（Pre-coding matrix indicator）    プリコーディングマトリックス指示子
Ｐ−ＳＣＨ（Primary synchronization signal）    一次同期信号
ＰＵＣＣＨ（Physical uplink control channel）    物理上りリンク制御チャネル
ＰＵＳＣＨ（Physical uplink shared channel）    物理上り共有チャネル
ＲＢ（Resource Block）    リソースブロック
ＲＢＧ（Resource Block Group）    リソースブロックグループ
ＲＥ（Resource Element）    リソースエレメント
ＲＥＧ（Resource Element Group）    リソースエレメントグループ
ＲＮＴＩ（Radio Network Temporary Identifier）    無線ネットワーク一時的指示子
図２は、さまざまな実施形態に対応し得る例示の通信システムのブロックダイアグラムを示す。図２に図示されるＭＩＭＯ通信システム２００は、ＭＩＭＯ通信システム２００における送信側システム２１０（例えば、基地局またはアクセスポイント）と受信側システム２５０（例えば、アクセス端末またはユーザ機器）を備える。図示されるように、基地局が送信側システム２１０と呼ばれ、ユーザ機器が受信側システム２５０と呼ばれる場合でさえ、これらのシステムの実施携帯は双方向通信が可能であることは、通常の技量を有するものには認識される。その点で、「送信側システム２１０」と「受信側システム２５０」という用語は、いずれかのシステムからの単一方向を意味するように用いられるべきではない。また、図２の送信側システム２１０と受信側システム２５０は、各々、図２に明瞭には図示されない複数のほかの受信側および送信側システムとの通信を行うことも可能である。送信側システム２１０で、多数のデータストリームに係るトラフィックデータが、データ源２１２から送信（ＴＸ）データプロセッサ２１４に与えられる。各データストリームは、送信側システムそれぞれの上を送信されえる。ＴＸデータプロセッサ２１４は、符号化データを提供するために、当該データストリームのために選択される特定の符号化スキームにもとづき、各データストリームに係るトラフィックデータをフォーマットし、符号化し、インタリーブする。
【００３１】
各データストリームに係る符号化データは、例えば、ＯＦＤＭ技術を用いて、パイロットデータとともに多重化されえる。パイロットデータは、典型的に、既知の方法で処理され、チャネル応答を推定するために受信側システムで用いられ得る既知のデータパターンである。各ストリームに係わる多重化されたパイロットと符号化されるデータは、次に、変調シンボルを与えるために、当該データストリームについて選択される特定の変調スキーム（例えば、ＢＰＳＫ、ＱＳＰＫ、Ｍ−ＰＳＫ、または、Ｍ−ＱＡＭ）にもとづいて変調（シンボルマッピング）される。各データストリームに係るデータレート、コード化、および変調は、送信側システム２１０のプロセッサ２３０によって実行される命令により決められる。
【００３２】
図２の例示のブロック図において、全てのデータストリームに係る変調シンボルは、更に変調シンボルを処理する（例えば、ＯＦＤＭ用に）ことができる、ＴＸ−ＭＩＭＯプロセッサ２２０に与えられる。ＴＸ−ＭＩＭＯプロセッサ２２０は、ＮＴ個の送信側システムトランシーバ（ＴＭＴＲ）２２２ａから２２２ｔにＮＴ個の変調シンボルストリームを与える。一実施形態において、ＴＸ ＭＩＭＯプロセッサ２２０は、データストリームのシンボルとシンボルが送信されているアンテナとにビーム形成重みを適用する。
【００３３】
送信側システムトランシーバ２２２ａないし２２２ｔの各々は、１またはそれより多くのアナログ信号を与えるためにそれぞれのシンボルストリームを受け、処理し、さらに、ＭＩＭＯチャネル上の送信にあった変調信号を与えるために、そのアナログ信号を調整する。いくつかの実施形態では、その調整は、それに限定はされないが、増幅、フィルタリング、アップコンバージョン、等々のような動作を含み得る。送信側トランシーバ２２２ａないし２２２ｔによって生成される変調信号は、その後、図２に示される送信側システムのアンテナ２２４ａないし２２４ｔから送信される。
【００３４】
受信側システム２５０では、送信された変調信号が、受信側システムのアンテナ２５２ａないし２５２ｒにより受信されることができ、受信側システムのアンテナ２５２ａないし２５２ｒの各々からの受信信号は、それぞれの受信側システムトランシーバ（ＲＣＶＲ）２５４ａないし２５４ｒに与えられる。受信側システムトランシーバ２５４ａないし２５４ｒの各々は、それぞれの受信信号を調整し、サンプルを提供するために調整された信号をデジタル化し、対応する“受信される”シンボルストリームを提供するために、さらにサンプルを処理する。いくつかの実施形態では、その調整は、それに限定されないが、増幅、フィルタリング、ダウンコンバージョン、等々を含み得る。
【００３５】
次に、ＲＸデータプロセッサ２６０は、複数の“検出せれる”シンボルストリームを与えるために、特定の受信側処理技法にもとづき、受信側システムトランシーバ２５４ａないし２５４ｒからのシンブルストリームを受け、処理する。一例では、検出されるシンブルストリームの各々は、対応するデータストリームに係る送信されるシンボルの推定であるシンボルを含むことができる。ＲＸデータプロセッサ２６０は、次に、少なくとも部分的に、対応するデータストリームに係るトラフィックデータを回復するために検出されるシンボルストリームの各々を、復調し、デインタリーブし、復号する。ＲＸデータプロセッサ２６０による処理は、送信側システム２１０でのＴＸ ＭＩＭＯプロセッサ２２０とＴＸ データプロセッサ２１４により実行される処理に相補的であってよい。ＲＸデータプロセッサ２６０は、加えて、データシンク（図示されない）に、与えることができる。
【００３６】
いくつかの実施形態では、チャネル応答推定は、ＲＸデータプロセッサ２６０によって生成され、受信側システム２５０で空間／時間処理を行い、電力レベルを調整し、変調レートまたはスキームを変更し、および／または適当な動作を行うために用いられ得る。加えて、ＲＸデータプロセッサ２６０は、検出されるシンブルストリームの信号対ノイズ比（ＳＮＲ）や信号対干渉比（ＳＩＲ）のようなチャネル特性を推定することができる。ＲＸデータプロセッサ２６０は、プロセッサ２７０に推定されたチャネル特性を与えることができる。一例では、受信側システム２５０のＲＸデータプロセッサ２６０および／またはプロセッサ２７０は、さらに、システムにかかる“動作”ＳＮＲの推定を得ることができる。受信側システム２５０のプロセッサ２７０は、また、通信リンクおよび／または受信されるデータストリームに関する情報を含む、チャネル状態情報（channel state information (CSI)）を与え得る。この情報は、例えば、動作ＳＮＲや他のチャネル情報を含んでもよいが、ユーザ機器のスケジューリング、ＭＩＭＯ設定、変調および符号化の選択、等々に関する正しい決定をするために、送信側システム２１０（例えば、基地局またはｅＮｏｄｅＢ）によって用いられる。受信側システム２５０で、プロセッサ２７０によって生成されるＣＳＩは、ＴＸデータプロセッサ２３８によって処理され、変調器２８０によって変調され、受信側システムトランシーバ２５４ａから２５４ｒによって調整され、送信側システム２１０に逆送信される。加えて、受信側システム２５０のデータソース２３６は、ＴＸデータプロセッサ２３８によって処理されるべき追加のデータを与え得る。
【００３７】
いくつかの実施形態では、受信側システム２５０のプロセッサ２７０は、どのプリコーディングマトリックスを使用するかを定期的に決定する。プロセッサ２７０は、マトリックスインデックス部とランク（階数）値部とを備える逆方向リンクメッセージを系統化する。逆方向リンクのメッセージは通信リンクおよび／または受信データストリームに関するさまざまなタイプの情報を備え得る。逆方向リンクメッセージは、次に、データソース２３６からの多くのデータストリームに係るトラフィックデータを受信することができる、受信側システム２５０のＴＸデータプロセッサ２３８により処理される。処理された情報は、次に、変調器２８０により変調され、受信側システムトランシーバ２５４ａないし２５４ｒの１またはそれより多くにより調整され、送信側システムに戻し送信される。
【００３８】
ＭＩＭＯ通信システム２００のいくつかの実施形態では、受信側システム２５０は、空間的に多重化される信号を受信し、処理することができる。これらのシステムでは、空間的な多重化は、送信側システムのアンテナ２２４ａないし２２４ｔ上で異なるデータストリームを多重化し、送信することにより、送信側システム２１０で起きる。これは、複数の送信側システムのアンテナ２２４ａないし２２４ｔから同じデータストリームが送られる、送信ダイバーシチのスキームの使用と対照的である。空間的に多重化される信号を受信し、処理することができるＭＩＭＯ通信システム２００において、送信側システムのアンテナ２２４ａないし２２４ｔの各々から送信される信号がお互いから十分に非相関であることを確保するために、送信システム２１０で、典型的に、プリコードマトリックスが用いられる。この非相関は、受信側システムのアンテナ２５２ａないし２５２ｒの任意の特定のものに到達する複合信号が受信されることができ、送信側システムアンテナ２２４ａないし２２４ｔの他のものからの他のデータストリームを運ぶ信号の存在の中で、個々のデータストリームが決定されることができることを確実にする。
【００３９】
ストリーム間の相互相関の量は環境により影響され得るので、受信側システム２５０が、受信信号について、送信側システム２１０に情報をフィードバックすることが効果的である。これらのシステムにおいて、送信側システム２１０と受信側システム２５０の両方が、多くのプリコーディングマトリックスをもつコードブックを含む。これらのプリコーディングマトリックスの各々は、いくつかの場合において、受信信号において経験される相互相関の量に関連付けられる。マトリックスの中の値よりも個々のマトリックスのインデックスを送ることが効果的であるので、受信側システム２５０から送信側システム２１０に送られるフィードバック制御信号は。一般に、特定のプリコーディングマトリックスのインデックスを含む。いくつかの場合において、フィードバック制御信号は、また、空間多重化において、いくつの独立のデータストリームを使うかを送信側システム２１０に示すランク（階数）インデックスを有する。
【００４０】
ＭＩＭＯ通信システム２００の他の実施形態は、上記の空間的に多重化されるスキームの代わりに、送信ダイバーシチスキームを利用するように構成される。これらの実施形態では、同じデータストリームが、送信側システムのアンテナ２２４ａないし２２４ｔに亘って送信される。これらの実施形態では、受信側システム２５０に配信されるデータレートは、一般的に、空間的に多重化されるＭＩＭＯ通信システム２００より低い。これらの実施形態は、通信チャネルの頑強性や信頼性を提供する。送信ダイバーシチシステムにおいて、送信側システムのアンテナ２２４ａないし２２４ｔから送信される信号の各々は、異なる干渉環境（例えば、フェージング、反射、マルチパス位相シフト）を経験する。これらの実施形態において、受信側システムアンテナ２５２ａないし２２４ｔで受信される異なる信号特性は、適当なデータストリームを決定することにおいて有用である。これらの実施形態において、ランク指示子は、一般的に、空間的多重化を用いていないことを送信側システム２１０に伝える“１”に設定される。
【００４１】
他の実施形態は、空間的多重化と送信ダイバーシチの組み合わせを利用してもよい。例えば、４つの送信側システムアンテナ２２４ａないし２２４ｔを用いるＭＩＭＯ通信システム２００では、第１のデータストリームは、送信側システムのアンテナ２２４ａないし２２４ｔの内の２つの上で送信され、第２のデータストリームは、送信側システムのアンテナ２２４ａないし２２４ｔの内の残りの２つの上で送信される。これらの実施形態では、ランクインデックスは、空間的多重化と送信ダイバーシチの組み合わせを利用することを送信側システム２１０に示す、プリコードマトリックスのフルランクより低い整数に設定される。
【００４２】
送信システム２１０で、受信側システム２５０からの変調信号は、受信側システム２５０によって送信される逆方向リンクメッセージを抽出するために、送信側システムのアンテナ２２４ａないし２２４ｔによって受信され、送信側システムのトランシーバ２２２ａないし２２２ｔによって調整され、送信側システムの復調器２４０により復調され、ＲＸデータプロセッサによって処理される。いくつかの実施形態では、送信側システム２１０のプロセッサ２３０は、将来の順方向リンク送信のために、どのプリコーディングマトリックスを使うかを決定し、抽出されるメッセージを処理する。他の実施形態において、プロセッサ２３０は、将来の順方向リンク送信のためのビーム形成重みを調整するために、受信信号を用いる。
【００４３】
他の実施形態において、報告されるＣＳＩは、送信システム２１０のプロセッサ２３０に与えられ、１またはそれより多くのデータストリームのために使われる、例えば、データレートや符号化／変調スキームを決めるたえに用いられる。決められる符号化や変調のスキームは、量子化および／または受信側システム２５０への以降の送信における使用のために、送信側システム２１９で１またはそれより多くの送信側システムトランシーバ２２２ａないし２２２ｔに与えられ得る。加えて、および／または、代わりに、報告されるＣＳＩは、ＴＸデータプロセッサ２１４とＴＸ ＭＩＭＯプロセッサ２２０のための様々な制御を生成するために、送信側システム２１０のプロセッサ２３０により用いられ得る。１つの例では、送信側システム２１０のＲＸデータプロセッサ２４２によって処理されるＣＳＩおよび／または他の情報は、データシンク（図示されず）に与えられることができる。
【００４４】
いくつかの実施形態において、送信側システム２１０でのプロセッサ２３０と受信側システム２５０でのプロセッサは、それらそれぞれのシステムでの動作を指示することができる。加えて、送信側システム２１０でのメモリ２３２と受信側システム２５０でのメモリ２７２は送信側システムプロセッサ２３０と受信側システムプロセッサ２７０のそれぞれにより使われるプログラムコードとデータのための格納部を提供する。さらに、受信側システム２５０で、さまざまな処理技術が、ＮＴ個の送信シンボルストリームを検出するため、ＮＲ個の受信信号を処理するために用いられる。これら受信側処理技術は、等化技術を含む、空間および空間／時間受信側処理技術、「継続的ヌル化／等化および干渉除去」の受信側処理技術、および／または、「継続的干渉除去」または「継続的除去」の受信側処理技術を含み得る。
【００４５】
上に注記したように、移動体通信システムにおける上りリンクの送信側電力制御は、所望のサービス品質（例えば、データレートやエラーレート）を達成するために十分な送信ビットあたりのエネルギーの必要性の、システムの他のユーザの干渉を最小限にし、移動体端末の電池寿命を最大限にするとの必要性に対する釣り合いをとる。この目標を達成するために、経路損失、上りリンク電力制御は、陰影妨害、高速フェージング、および同じセルや近くのセルの中の他のユーザからの干渉を含む、無線伝播チャネル（radio propagation channel）の特性に適用されなければならない。ＬＴＥ 第８版における上りリンク電力制御は、参照によりこの中に組み入れられる、３ＧＰＰの技術仕様書 ＴＳ ３６．２１３、「Physical Layer Procedures (Release 8),」の§５．１等々に記載される。
【００４６】
ＬＴＥ 第８版において、上りデータレートを変えるための基本的なメカニズムは、送信帯域幅（サブフレームにおけるスケジュール化されるリソースブロックの数により決められる）とリソースエレメントあたりのビット数（ＢＰＲＥ）を決める変調および符号化スキーム（ＭＣＳ）である。ＬＴＥ 第８版において、上りリンクの閉ループ電力制御は、物理上りリンク制御チャネル（physical uplink control channel (PUCCH)）と物理上りリンク共有チャネル（physical uplink shared channel (PUSCH)）のリソースブロックあたりの送信電力、および、異なる周波数でのチャネル品質を推定するために使われるＰＵＳＣＨの中の観測基準信号（sounding reference signal (SRS)）の電力を制御するために使われる。ＰＵＳＣＨは、絶対値および累積の電力制御モードの両方を使い、一方、ＰＵＣＣＨは、累積電力制御のみを使う。観測基準信号は、一般的に、ＰＵＳＣＨ送信電力レベルに関して固定されたオフセットをもつよう構成されるが、他の点では、ＰＵＳＣＨと同じ方法で制御される。
【００４７】
ＬＴＥ 第８版は、ＰＵＣＣＨ、ＰＵＳＣＨ、および、ＳＲＳ（ネットワークに、異なる周波数での上りリンクチャネル品質を推定することを可能にするために、上りリンク上で送信される）のために電力制御規格を規定する。しかし、ＰＵＣＣＨ（ＰＤＣＣＨによって割り当てられるリソースを有しない）と異なり、ＰＵＳＣＨ（および、ＰＵＳＣＨにリンクされるＳＲＳ）の帯域幅は、物理下りリンク制御チャネル（ＰＤＣＣＨ）上で受信されるリソース割り当てを変更する関数として、サブフレームからサブフレームにかけて大きく変化し得る。あるサブフレーム（ｉ）におけるＰＵＳＣＨ送信電力は、以下によって与えられる。
【数１】
0005951816.tif 000002
【００４８】
ここで、ＰＣＭＡＸは、ＵＥの構成可能な最大総送信電力；ＭＰＵＳＣＨ（ｉ）は、サブフレーム（ｉ）において配置されるリソースブロックの数にもとづく帯域幅ファクタ；Ｐ０＿ＰＵＳＣＨ（ｊ）は、高位のレイヤから与えられるセル固有のノミナルコンポーネント（nominal component）と高位のレイヤから与えられるＵＥ固有のコンポーネントの総数；  および、（ｊ）は、半持続性（semi-persistent）、動的にスケジュールされるリソース許諾、または、ここでの検討のために無視されることができる、ランダムアクセス応答許可に対応するＰＵＳＣＨ（再）送信を示すパラメータである。ＰＬは、ＵＥにおいて計算される下りリンク経路損失推定であり、α（ｊ）は、高位のレイヤから与えられるスケーリングファクタである。トランスポート・フォーマット・パラメータ（transport format parameter）  ΔＴＦ（ｉ）は、変調および符号化形式に依存する（ここでの検討のために詳細は省略されるが、ΔＴＦ（ｉ）の構成要素の説明のために3GPP TS 36.213  5.1.1.1項を参照する）。パラメータｆ（ｉ）は、累積電力制御コマンドであり、
【数２】
0005951816.tif 000003
【００４９】
および、
【数３】
0005951816.tif 000004
【００５０】
は、特定のＵＥのためにＤＣＩフォーマット０をもった、または、複数のＵＥのためにＤＣＩフォーマット３および３ＡをもったＰＤＣＣＨに含まれる、ＵＥ固有の補正値（または、ＴＰＣ（transmit power control：送信電力制御）コマンドともよばれる）である。ＫＰＵＳＣＨは、ＰＤＣＣＨと送信電力調整に関連したタイミングオフセットファクタである。ＴＰＣ電力制御刻みの大きさ（step size）は、例えば、−１ｄＢ、０ｄＢ、＋１ｄＢ、および＋３ｄＢの離散値に、ＬＴＥ 第８版の使用によって制限される。
【００５１】
また、ＬＴＥ 第８版において、以下の第２の電力制御等式を意味する、構成可能な最小総送信電力がある。
【数４】
0005951816.tif 000005
【００５２】
ここで、ＰＣＭＩＮは、最小総送信電力である。ＬＴＥ 第８版において、ＵＥが最大電力に到達する場合、以降の正のＴＰＣコマンドは累積されない。逆に、ＵＥが最小電力に到達すると、以降の負のＴＰＣコマンドは累積されない。
【００５３】
３ＧＰＰ ＲＡＮ１（Radio Access Network Group 1：無線接続ネットワークグループ１）における現在の理解のもとで、上りリンクリソースが、ＰＤＣＣＨにおけるＤＣＩフォーマット０（または、上りリンクデータ送信をスケジューリングする他のＤＣＩフォーマット）を介して割り当てられる場合に、上記の電力制御規格は、ＬＴＥアドバンストに関して提案されている。しかし、上りリンク割り当てがない場合（ＤＣＩフォーマット３／３Ａを介する上りリンク電力制御）には、現在の理解は、無制限のｆ（ｉ）累積を許し、最大および最小の電力閾値は無視されるべきであるということである。このアプローチの理論的根拠（ＤＣＩフォーマット３／３Ａに関して）は、関連するＰＵＳＣＨ送信がない以上、指令されるＵＥ送信電力の最大または最小の電力閾値との比較は可能ではないことである。
【００５４】
この現在の提案のもとでは、ＤＣＩフォーマット０によって構成される上りリンクリソース割り当てに関して、ＵＥの実際の送信電力は、ＡＰＣ項 ｆ（ｉ）への調整に依存するだけでなく、ΔＴＦ（ｉ）の値によって示される変調・符号化形式（modulation and coding scheme (MCS)）およびＭＰＵＳＣＨ（ｉ）（配分されるリソースブロック数）によって示される割り当てられる帯域幅に依存する。帯域幅分配における変更に関して、このアプローチは、分配される帯域幅が増加するときに最大電力閾値（ＰＣＭＡＸ）を超え、分配される帯域幅が減少するときに最小電力閾値（ＰＣＭＩＮ）以下に下がる、高い見込みを創出する。
【００５５】
例として、現在の送信電力レベルが最大電力レベルに近づくとき、サブフレーム間での４：１の帯域幅増加を仮定する。リソースブロックあたりのある電力について、要求される電力増加は、ＴＰＣとＭＣＳにおける任意の変化とは独立に、１０ ｌｏｇ ＢＷ２／ＢＷ１＝１０ ｌｏｇ ４＝６ｄＢとなる。逆に、現在の送信電力レベルが最小電力レベルに近づくとき、サブフレーム間での４：１の帯域幅減少を仮定する。リソースブロックあたりのある電力について、要求される電力増加は、ＴＰＣとＭＣＳにおける任意の変化とは独立に、１０ ｌｏｇ ＢＷ２／ＢＷ１＝１０ ｌｏｇ ０．２５＝−６ｄＢとなる。いずれの場合においても、現在のパラダイム（捉え方）のもとでは、ＵＥの総送信電力は、現在のＬＴＥ 第８版の仕様における電力制御刻み幅の制限のもとで電力レベルを調整するために、必要とされるサブフレームの数についての最大電力レベルまたは最小電力レベルに制限され得るであろう。
【００５６】
図３は、例として、ＰＵＳＣＨの狭い帯域の配置が、例えば、改善されるチャネル状態により、時刻ｔ１で、広い帯域の配置に増加される場合を示す。ＰＵＳＣＨ送信電力レベルが、既に、最大電力レベルの近くにある場合、帯域幅は、指令される電力レベルが最大電力レベルを超す原因となり、ＵＥを非線形動作または電力飽和に押しやる可能性がある（最大電力閾値（ＰＭＡＸ）は、絶対的な電力限界よりも、むしろ、線形動作の限界にもとづくと仮定して）。結果として、連続的な電力削減コマンドが、ＰＤＣＣＨ上でｅＮｏｄｅＢにより発行されるが、ＵＥのＰＵＳＣＨ送信電力は、１またはそれより多くのサブフレームについて、最大電力閾値（ＰＭＡＸ）より大きいか、等しくなるだろう。この期間（ｔ１からｔ２まで）の間、ＵＥは、データエラーや過度な電力消費に帰結し得る、飽和状態または非線形モードで動作している可能性がある。
【００５７】
図４は、例として、狭い帯域の配置で、ＰＵＳＣＨの電力レベルが最省電力閾値（ＰＭＩＮ）に到達し、ｆ（ｉ）はまだ比較的高いレベルにあるが、電力削減コマンドへの応答を停止してしまっている場合を示す。配置される帯域幅が時刻ｔ１で増加されるとき（例えば、改善されるチャネル状態のために）、リソースブロックあたりのある電力で、指令される電力レベルは増加し、上記される最小電力閾値を十分に超えるように、ＵＥを押しやる。結果として、連続的な電力削減コマンドがＰＤＣＣＨ上でｅＮｏｄｅＢによって発行されるが、ＵＥのＰＵＳＣＨ送信電力は、１またはそれより多くのサブフレームについてチャネル状態のために必要なものよりも大きくなるだろう。この期間の間、ＵＥは、不要な電力を消費し、他のユーザへの干渉を生じさせ得る。
【００５８】
図５は、ＰＵＳＣＨ送信電力が比較的低いレベルであり、結果はｆ（ｉ）における減少であるような広い帯域幅の配置で、それに続くｔ１での分配される帯域幅の減少（例えば、データレートの要求、または、チャネル品質の変化による）が、最小電力閾値（ＰＭＩＮ）より下か、等しいＰＵＳＣＨ送信電力に帰結する場合の例を示す。この場合には、送信電力を最小の電力閾値（ＰＭＩＮ）の上に上げるために、（ｔ１からｔ２までに）いくつかのｆ（ｉ）電力上昇コマンドを必要とする。この時間の間、ノイズと干渉との組み合わされた影響により、上りリンク送信品質が悪くなる。
【００５９】
図６は、例として、ｆ（ｉ）が比較的低いレベルにあるが、ＰＵＳＣＨ送信電力が、比較的広い帯域幅で最大電力閾値（ＰＭＡＸ）に、または、それより上にある場合を示す。ｔ１で帯域幅配分が減少すると、要求されるレベルに送信電力をもってくるために、制限されるｆ（ｉ）の刻みのいくつかのサブフレームをとり得る。
【００６０】
図７は、始めに、ｆ（ｉ）は変化するが、ＳＲＳ送信電力レベルがサブフレームからサブフレームにかけて固定のオフセットをもつＰＵＳＣＨ送信電力レベルに追従するような例の場合を示す。しかし、分配される帯域幅が時刻ｔ１で増加するとき、ＰＵＳＣＨ送信電力を最大電力閾値（ＰＭＡＸ）まで、または、それを超すように増加させて、ＡＰＣは動作不能にされ（ｆ（ｉ）は増加しない）、ＳＲＳ送信電力レベルはＰＵＳＣＨ送信電力レベルに比較して、不知でかつ望まれないくらい低いレベルで、一定のままに残る。
【００６１】
図８は、始めに、ｆ（ｉ）は変化するが、ＳＲＳ送信電力レベルがサブフレームからサブフレームにかけて固定のオフセットをもつＰＵＳＣＨ送信電力レベルに追従するような例の場合を示す。しかし、分配される帯域幅が時刻ｔ１で減少すると、ＰＵＳＣＨ送信電力を最小電力閾値（ＰＭＩＮ）まで、またはそれより下に減少させて、ＡＰＣが動作不能にされ（ｆ（ｉ）が減少しない）、ＳＲＳ送信電力レベルは、ＰＵＳＣＨ送信電力レベルに比較して、不知でかつ望まれないくらい高いレベルで、一定のままに残る。
【００６２】
１つの実施形態では、上記の問題への解決策は、パラメータＭＰＵＳＣＨ（ｉ）の中に反映されるＰＵＳＣＨ帯域幅（分配されるＲＢの数）および／またはパラメータΔＴＦ（ｉ）の中に反映される変調／符号化形式（ＭＣＳ）における動的な変化から、電力計算アルゴリズムを切り離すこと、または、ＡＰＣ調整を、最大および最小電力閾値とは独立にさせること、である。
【００６３】
例えば、切り離すことは、動的なＭＣＳパラメータΔＴＦ（ｉ）を、固定または半持続性（semi-persistent）のＭＣＳパラメータΔＴＦ（即ち、ＭＣＳ調整なし）と置き換えること、および／または、動的なＰＵＳＣＨ帯域幅パラメータＭＰＵＳＣＨ（ｉ）を、固定または半持続性の帯域幅パラメータＭＰＵＳＣＨと置き換えること、によって達成され得る。パラメータＭＰＵＳＣＨは、最大電力閾値の計算のために、１ ＲＢのように、ＲＢの固定または半持続性の個数をあらわす値 ＭＰＵＳＨ＿ＭＡＸをもち得る。パラメータＭＰＵＳＣＨは、最小電力閾値の計算のために、１１０ ＲＢ（最大システム帯域幅に対応）のように、ＲＢの固定または半持続性の個数をあらわす値 ＭＰＵＳＨ＿ＭＩＮをもち得る。最大電力比較のための式は、以下のようにあらわされ得る。
【数５】
0005951816.tif 000006
【００６４】
同様に、最小電力比較のための式は、以下のようにあらわされ得る。
【数６】
0005951816.tif 000007
【００６５】
ここで、ＭＰＵＳＣＨ＿ＭＩＮ、ＭＰＵＳＣＨ＿ＭＡＸ、およびΔＴＦは、高位のレイヤ（例えば、レイヤ３にように、物理レイヤより上のレイヤ）によって構成される、半持続性のスケジューリングベースでｅＮｏｄｅＢによって割りつけられる、または仕様の中で明確に規定される（hard-coded）もので、サブフレームインデックス（ｉ）とは独立ある。
【００６６】
１つまたはそれより多くの代替的な実施形態において、ＰＵＳＣＨ帯域幅とＭＣＳとにかかわる動的な値は、指令される送信電力レベルが最大と最小との電力閾値の間にあるときに使用されることができ、ＰＵＳＣＨ帯域幅および／またはＭＣＳ固定または半持続性の値（上記された）は、指令される送信電力が最大電力閾値またはそれより上にあるか、最小電力閾値またはそれより下にあるかの場合に使用され得る。
【００６７】
他の実施形態では、ＰＵＳＣＨ帯域幅とＭＣＳに係る動的な値は、指令される送信電力が最大と最小との電力閾値間にあるときに用いられ得る。しかし、指令される送信電力が最大電力閾値またはそれより上にあるか、最小電力閾値またはそれより下にあるかの場合に、動的な値を固定または半持続性の値と置き換える代わりに、送信電力は、最大または最小電力閾値から、あらかじめ定められるオフセットに設定されてもよい。例えば、指令される送信電力レベルの値が最小送信電力閾値の値より小さいか等しい場合、送信電力は、最小送信電力閾値の上の固定のオフセット（例えば、３ｄＢ）に設定される。指令される送信電力レベルの値が最大送信電力閾値の値より大きいか等しい場合、送信電力は、最大送信電力閾値の下の固定のオフセット（例えば、３ｄＢ）に設定され得る。オフセットは、明確に規定される（hard-coded）か、または、ＬＴＥにおけるレイヤ３のような、物理レイヤより上のレイヤによって構成されてもよい。
【００６８】
上位レイヤから割り当てられる同じ帯域幅ファクタとＭＣＳと仮定し、または、代わりに、将来の計算のために、最後に割り当てられた帯域幅とＭＣＳ調整を用いて、上記されたものと同じ式が、ＰＵＳＣＨのＤＣＩフォーマット３／３Ａ電力制御のために使われることができる。
【００６９】
上記されたと同じ式は、ＰＵＣＣＨの電力制御のために使われ得る。１つの実施形態では、ＰＵＣＣＨ帯域幅と変調における変化がＰＵＳＣＨとの比較において相対的に制限されると仮定して、最大および最小電力閾値は、単に、無視されてもよい。
【００７０】
上記されたと同じ式は、他の動作に関連する電力制御のために使われることができる。１つの実施形態では、電力の余裕分（headroom）の報告は、ＰＵＳＣＨ送信がない場合、基準帯域幅と基準ＭＣＳとにもとづき得る。
【００７１】
電力制御の上での以上の検討の部分は、ＰＵＳＣＨ帯域幅とＭＣＳの動的、固定、または半継続性の値（集合的に、基準値）の使用を扱っているが、少なくとも、観測基準シンボルが送信帯域幅に比例しているから、同じコンセプトが、ＳＲＳカウントにもとづく基準値を用いて実装され得ることは、当技術における技能をもつ者により認識され得る。
【００７２】
図９は、上記されたような固定の帯域幅および変調パラメータを用いることの効果を示す。第９図において、ＰＵＳＣＨ送信電力は、ｆ（ｉ）の値における減少の結果としてｔ１で最小電力閾値（ＰＭＩＮ）に到達する。しかし、上位レイヤにより構成され、比較式において用いられる、固定される最小帯域幅パラメータおよび変調パラメータにより、計算される電力（実際の電力に相対するものとして）が、依然、閾値の上にあるから、ｆ（ｉ）は動作不能にされない。時刻ｔ２で、ＰＵＳＣＨ帯域幅が増加する場合、ＰＵＳＣＨ送信電力は、最大電力閾値（ＰＭＡＸ）に到達するか、超え得る。しかし、比較式において用いられる固定される最大帯域幅ファクタおよび変調ファクタにより、計算される電力（実際の電力に相対するものとして）が、依然、閾値の下にあるから、ｆ（ｉ）は動作不能にされない。
【００７３】
図１０は，上記されたような電力制御式における固定される帯域幅や変調の同じファクタを用いる、ＳＲＳ送信電力制御上の効果を示す。図１０において、ＳＲＳ送信電力は、時刻ｔ１まで、固定されるオフセットをもってＰＵＳＣＨ送信電力に追従し、ここでは、ＰＵＳＣＨにおける帯域幅変化は、ＰＵＳＣＨ送信電力が最大電力閾値（ＰＭＡＸ）に到達するか、それを超える原因となり、ＰＵＳＣＨ送信電力とＳＲＳ送信電力との間のオフセットを一時的に増加させる。しかし、計算される電力（実際の電力に相対するものとして）が、固定される最大帯域幅ファクタおよび変調ファクタにより、依然、閾値の下にあるから、ｆ（ｉ）は動作不能にされない。結果として、ＳＲＳ送信電力を、ＰＵＳＣＨ送信電力に関して望ましいレベルにもたらすために、ｆ（ｉ）の増加は、依然、有効である。
【００７４】
ひとつの実施形態において、上記された問題への他の解決策は、ＰＵＳＨ送信電力が最大電力閾値（ＰＭＡＸ）または最小電力閾値（ＰＭＩＮ）に到達するたびに、ｆ（ｉ）の値をリセットすることを含む。
【００７５】
例えば、ＰＵＳＣＨ送信電力が最大電力閾値（ＰＭＡＸ）またはそれより上である場合、
【数７】
0005951816.tif 000008
【００７６】
の負の値によって示される次の電力降下コマンドは、次のサブフレームにおけるｆ（ｉ）の値を、次式にリセットすることができる。
【数８】
0005951816.tif 000009
【００７７】
代わりに、リセット動作は、あらかじめ定められる数の電力降下コマンドが受信されるまで遅らされてもよく、ＰＵＳＣＨ送信電力は、依然、最大電力閾値またはそれより上にある。
【００７８】
同様に、ＰＵＳＣＨ送信電力が、最小電力閾値（ＰＭＩＮ）またはそれより下にある場合、
【数９】
0005951816.tif 000010
【００７９】
の正の値により示される次の電力上昇コマンドが、次のサブフレームにおけるｆ（ｉ）の値を、次式にリセットする。
【数１０】
0005951816.tif 000011
【００８０】
代わりに、リセット動作は、あらかじめ定められる数の電力上昇コマンドが受けとられるまで遅らされてもよく、ＰＵＳＣＨ送信電力は、依然、最小電力閾値またはそれより下である。
【００８１】
図１１は、ＰＵＳＣＨ送信電力を最大電力閾値（ＰＣＭＡＸ）に到達せしめるか、超えさせるような帯域幅増加の事例においてｆ（ｉ）の値をリセットすることの効果を示す。図１１において、時刻ｔ０からｔ１までで、ＰＵＳＣＨ送信電力は、最大電力閾値（ＰＣＭＡＸ）を下まわり、ｆ（ｉ）における変化に追従する。時刻ｔ１で、ＰＵＳＣＨ送信総電力を、最大電力閾値（ＰＣＭＡＸ）に等しいか、超えるようにし、追加の電力上昇コマンドを動作不可にして、ＰＵＳＣＨの分配される帯域幅は増加される（例えば、ＰＤＣＣＨ上のＤＣＩフォーマット０により）。しかし、この状態は、ＰＵＳＣＨ送信総電力を最大電力閾値（ＰＣＭＡＸ）より下に落とし、電力上昇コマンドを再び可動にして、次のサブフレーム（または、あらかじめ定められた数の、電力降下コマンドを含むサブフレームの後）における上の等式（５）に従うｆ（ｉ）のリセットを誘引する。分けて図示されないが、等式（６）は、ＰＵＳＣＨ送信総電力を最小電力閾値（ＰＣＭＩＮ）に到達せしめるか、またはそれより下に落ちるようにする、広い帯域幅から狭い帯域幅への遷移へも同様に適用され得る（最小電力閾値が到達されるか、横切られる次のサブフレームにおいて、または、あらかじめ定められた数の、電力上昇コマンドを含むサブフレームの後、のいずれか）ことは、当該技術の通常の技量の者によって認識され得る。
【００８２】
ひとつの実施形態において、等式（１）および（２）に関連する制御ループは省略され、サブフレーム（ｉ）においてある送信電力レベルｆ（ｉ）で動作するＵＥが、下りリンクで差分電力コマンドΔＰを受信し、
【数１１】
0005951816.tif 000012
【００８３】
で与えられる、サブフレーム（ｉ＋１）における電力レベルｆ（ｉ＋１）で送信するような、送信電力レベルを調整するための方法と置き換えられることが考えられる。
【００８４】
考えられる１つの実施形態において、上記される単一の制御ループアーキテクチャの代わりに、ＵＥは、等しい数の基準の帯域幅または変調／符号化形式に対応する上りリンク送信電力制御ループの数を維持し得る。例えば、電力制御ループは、可能な帯域幅割り当て毎に維持され得る。しかし、このアプローチは、特に、広い帯域幅容量（例えば、１００個のＲＢまでサポートする２０ＭＨｚ）をもつシステムにとって、大きなオーバーヘッドに帰結する。代わりに、ループは量子化され得る。例えば、１０でのくくりは、例示の２０ＭＨｚシステムにとって、結果、１０ループになる（例えば、１−１０個のＲＢから割り当てられる帯域幅をカバーするために５個のＲＢの基準帯域幅をもつ１ループ、１１−２０個のＲＢから割り当てられる帯域幅をカバーするために１５個のＲＢの基準帯域幅をもつ１ループ、等々）。ＵＥは、下りリンクにおいて割り当てられる値に最も近い基準値をもった制御ループを選択する。各制御ループは、下りリンク制御チャネルにおいて受信される送信電力制御（transmit power control (TPC)）コマンドで、サブフレームからサブフレームにかけて更新され得る。例えば、ＰＵＳＣＨ帯域幅割り当てが２３個のＲＢである場合、ＵＥは、２５個のＲＢ用のループを選択する。
【００８５】
また、上記された実施形態は、マルチキャリアシステム、例えば、ＬＴＥアドバンストのために考えられるそれらのもの、に適用されてもよい。マルチキャリアシステムに関して、電力制御ループは、各キャリア毎にＵＥによって維持される。各制御ループに関連し、ＵＥ固有の最大送信電力ＰＵＥＭＡＸとキャリア固有の最大送信電力ＰＣＣＭＡＸがあってもよい。サブフレーム（ｉ）における送信電力は、次式のような最大選択関数によって制御され得る。
【数１２】
0005951816.tif 000013
【００８６】
代わりに、サブフレーム（ｉ）における送信電力は、次式のような最小選択関数によって制御され得る。
【数１３】
0005951816.tif 000014
【００８７】
ここで、Ｎは、ＵＥのために構成されるキャリアの数である。
【００８８】
個別の実施形態として上記される方法は、独立の解決策として、または、組み合わせて利用され得ることが認識される。加えて、ＰＵＳＣＨ送信電力制御のために用いられるｆ（ｉ）の値は、ＳＲＳ送信電力制御のために用いられるｆ（ｉ）の値から分離されてもよい。例えば、ＳＲＳに係るｆ（ｉ）の計算が、上記されるように、上位レイヤ信号によって構成されるか、半持続性ベースで割り当てられるか、または、明確に規定されるかである帯域幅パラメータ（ＭＰＵＳＣＨ）とＭＣＳパラメータ（ΔＴＦ）を用いる一方で、ＰＵＳＣＨに係るｆ（ｉ）の計算は、ＬＴＥ 第８版の規格に合わせることができる。加えて、ＰＵＳＣＨとＳＲＳ送信電力制御との分離は、ＰＵＳＣＨ送信電力が最大電力閾値（ＰＭＡＸ）またはそれより上にあるか、または、最小電力閾値（ＰＭＩＮ）またはそれより下にあるかの場合のみ起こるように、条件付きであることができる。
【００８９】
図１２は、１つの実施形態におけるシステム３００のブロック図である。システム３００は、基地局３１０と無線端末３２０とを有する。基地局３１０は、無線端末３２０から経路損失推定を受信し、無線端末３２０にＴＰＣ（送信電力制御）コマンドを送信するために構成される。無線端末３２０は、基地局３１０に経路損失推定を送信し、基地局３１０から受信される送信電力制御コマンドを受信および処理し、送信電力制御コマンドに応答して送信電力を調整した後、基地局に、物理上りリンク共有データチャネルを送信するように構成される。
【００９０】
図１３は、１つの実施形態における基地局４００の機能ブロック図を示す。図１３に示されるように、基地局４００は、プロセッサ部４１０、メモリ部４２０、受信部４３０、生成部４４０、および送信部４５０を有し得る。
【００９１】
一例では、プロセッサ部４１０は、複数の機能の何らかのものを実行することに関係するコンピュータ読取り可能な命令を実行するように構成される。プロセッサ部４１０は、基地局から通信されるべき情報を分析すること、および／または、メモリ部４２０、受信部４３０、生成部４４０および／または送信部４５０により用いられ得る情報を生成することに用いられる単一のプロセッサまたは複数のプロセッサであり得る。加えて、または代わりに、プロセッサ部４１０は、基地局４００の１つまたはそれより多くの部分を制御するために構成され得る。
【００９２】
他の例では、メモリ部は、プロセッサ部４１０に接続され、プロセッサ部４１０により実行されるコンピュータ読み出し可能命令を記憶するために構成される。メモリ部４２０は、また、受信部４３０、生成部４４０、および／または、送信部４５０によって生成／受信されるデータを含む、任意の複数の他の形式のデータを格納するために構成される。
【００９３】
また、さらに他の例では、受信部４３０および送信部４５０は、プロセッサ部４１０に接続され、基地局を外部にあるものと連結するために構成される。例えば、受信部４３０は、無線端末から信号を受信するために構成され、送信部４５０は、送信電力制御コマンドを、無線端末に送信するために構成され得るもので、送信電力制御コマンドは、無線端末の送信電力を調整することを無線端末に指示する。
【００９４】
図示されるように、基地局４００は、さらに、生成部４４０を有し得る。生成部４４０は、無線端末から受信される信号にもとづいて送信電力制御コマンドを生成するために構成されるもので、送信電力制御コマンドは、変調／符号化形式（modulation and coding scheme (MCS)）に関連するリソース分配および／またはトランスポートフォーマットにもとづくパラメータを有してよい。
【００９５】
図１４は、１つの実施形態に従う無線端末のブロック図を示す。図示のように、無線端末６００は、プロセッサ部６１０、メモリ部６２０、受信部６３０、電力制御部６４０、および送信部６５０を有し得る。
【００９６】
基地局におけるプロセッサ部４１０と同様に、プロセッサ６１０は、複数の機能の任意のものを実行することに関係するコンピュータ読み出し可能命令を実行するために構成される。プロセッサ部６１０は、無線端末６００から通信されるべき情報を分析すること、および／または、メモリ部６２０、受信部６３０、電力制御部６４０、および／または送信部６５０によって用いられ得る情報を生成することを目的とする単一のプロセッサまたは複数のプロセッサであり得る。加えて、または、代わりに、プロセッサ部６１０は、無線端末６００の１またはそれより多くの部分を制御するために構成されることができる。
【００９７】
他の例では、メモリ部６２０は、プロセッサ部６１０に接続され、プロセッサ部６１０により実行されるコンピュータ読み出し可能命令を格納するために構成される。メモリ部６２０は、受信部６３０、電力制御部６４０、および／または送信部６５０のいずれかによって生成／受信されるデータを含む、任意の複数の他の形式のデータを格納するために構成され得る。メモリ部６２０は、基地局４００におけるメモリ部４２０に類似する。
【００９８】
さらに他の例では、また、受信部６３０と送信部６５０は、プロセッサ部６１０に接続され、無線端末６００を外部のものと連結するために構成される。例えば、受信部６３０は、基地局４００から送信電力制御コマンドを受信するために構成され得るもので、送信制御コマンドは、例えば、最大送信電力または最小送信電力の制限、リソース分配、および、変調／符号化形式を含むトランスポートフォーマットの少なくとも１つにもとづいて上りリンク送信電力レベルを調整することを無線端末に指示する。送信部６５０は、調整された送信電力に従って信号を送信するために構成され得る。
【００９９】
図示のように、無線端末６００は、さらに、電力制御部６４０を有する。一例では、電力制御部６４０は、送信電力制御コマンドにもとづいて、無線端末６００に係る送信電力を確かめるために構成される。
【０１００】
図１５は、１つの実施形態の従うシステム７００のブロック図である。システム７００、および／または、システム７００を実装するための命令は、無線端末の中に物理的に存在し得るもので、システム７００は、例えば、プロセッサ、ソフトウェア／ハードウェア、等により実装される機能を示す、機能ブロックを有する。さらに、システム７００は、電子部品の物理的または論理的なグループ７０２を有する。図示のように、グループ７０２は、基地局４００のような基地局から送信電力制御コマンドを受信するための構成部７１０を有し得る。さらに、グループ７０２は、送信電力制御コマンドにもとづいて送信電力レベルを調整するための構成部７１２を有し得る。また、グループ７０２は、送信電力にしたがって信号を送信するための構成部７１４を有し得る。加えて、システム７００は、構成部７１０、７１２、および７１４に関連する機能を実行するために命令を保有するメモリ７２０を有し得る。メモリ７２０の外にあるように示されるが、構成部７１０、７１２、７１４はメモリの中に存在できることが理解されるべきである。
【０１０１】
図１６は、１つの実施形態における累積電力制御のための方法８００を示すフローチャートである。方法は、動作８０２で、送信電力制御コマンドを受信することで始まる。方法は、動作８０４で、送信電力制御コマンドにもとづいて、指令される送信電力レベルを決定することに続く。方法は、動作８０６で、指令される送信電力レベルを調整することで結了するもので、送信電力レベルは、送信帯域幅パラメータ、トランスポートフォーマットパラメータ、および電力刻みの大きさの制限の少なくともひとつから切り離される。
【０１０２】
開示される実施形態に関連して記載されるメモリは、揮発性または不揮発性メモリのいずれであることも可能で、また、揮発性および不揮発性メモリの両方を有することもできる。限定ではなく、例示によれば、不揮発性メモリは、ＲＯＭ（read only memory (ROM)）、プログラマブルＲＯＭ（programmable ROM (PROM)）、電気的プログラマブルＲＯＭ（electrically programmable ROM (EPROM)）、電気的消去可能ＲＯＭ（electrically erasable PROM (EEPROM)）、またはフラッシュメモリ（flash memory）を含み得る。揮発性メモリは、外部キャッシュメモリとして動作する、ランダムアクセスメモリ（ＲＡＭ）を含み得る。限定ではなく、例示によれば、ＲＡＭは、シンクロナスＲＡＭ（synchronous RAM (SRAM)）、ダイナミックＲＡＭ（dynamic RAM (DRAM)）、シンクロナスＤＲＡＭ（synchronous DRAM (SDRAM)）、ダブルデータレートＳＤＲＡＭ（double data rate SDRAM (DDR SDRAM)）、エンハンストＳＤＲＡＭ（enhanced SDRAM (ESDRAM)）、シンクリンクＤＲＡＭ（Synchlink DRAM (SLDRAM)）、ダイレクトラムバスＲＡＭ（direct Rambus RAM (DRRAM（登録商標）)）のような多くの形で利用可能である。
【０１０３】
この中に記載されるシステムや装置は、ユーザ機器または移動体デバイスとともに使用されることができ、例えば、ＳＤカード、ネットワークカード、無線ネットワークカード、コンピュータ（ラップトップ、デスクトップ、パーソナルデジタルアシスタト（ＰＤＡ）、タブレット、を含む）、移動電話、スマートフォン、または、ネットワークをアクセスするために利用され得る他の任意の端末であってよいことが注記されるべきである。ユーザ機器は、アクセスコンポーネント経由で、ネットワークに接続する。一例では、ユーザ機器とアクセスコンポーネントとの間の接続は、本来、無線であり、その中で、アクセスコンポーネントは基地局であってもよく、ユーザ機器は無線端末である。例えば、端末と基地局は、それらに限定はされないが、時分割多元接続（Time Divisional Multiple Access (TDMA)）、符号分割多元接続（Code Division Multiple Access (CDMA)）、周波数分割多元接続（Frequency Division Multiple Access (FDMA)）、直交周波数分割多重(Orthogonal Frequency Division Multiplexing (OFDM)）、フラッシュＯＦＤＭ（FLASH OFDM）、直交周波数分割多元接続（Orthogonal Frequency Division Multiple Access (OFDMA)）、または、任意の他の好適なプロトコルを含む、好適な無線プロトコロルを介して通信することができる。
【０１０４】
アクセスコンポーネントは、有線ネットワークまたは無線ネットワークに関連するアクセスノードであることができる。その目的のために、アクセスコンポーネントは、例えば、ルータ、交換機、等であることができる。アクセスコンポーネントは、他のネットワークノードとの通信のために、１つまたはそれより多くのインターフェイス、例えば、通信モジュール、有し得る。加えて、アクセスコンポーネントは、基地局（または、無線アクセスポイント）が複数の加入者に無線によるカバー領域を提供するために用いられる、セルラ形式のネットワークにおける基地局（または、無線アクセスポイント）であることができる。そのような基地局（または、無線アクセスポイント）は、１つまたはそれより多くのセルラ電話および／または他の無線端末に境界を接する複数のカバー領域を提供するように配置され得る。
【０１０５】
この中に記載される実施形態と態様は、ハードウェア、ソフトウェア、ファームウェア、またはそれらのいかなる組み合わせであってもよい。この中に記載されるさまざまな実施形態は、コンピュータプログラム製品によって１つの実施形態に実装され得る；  コンピュータ読み出し可能媒体の中に具現化され得る；  ネットワーク環境におけるコンピュータによって実行される、プログラムコードなどのコンピュータ実行可能命令を含む；  のような方法またはプロセスの概括的な文脈の中で記述される。メモリおよび／またはコンピュータ読み出し可能媒体は、それらに限定はされないが、ＲＯＭ（Read Only Memory (ROM)）、ＲＡＭ（Random Access Memory (RAM)）、コンパクトディスク（compact disc (CD)）、ＤＶＤ（digital versatile disc (DVD)）、等を含む、取り外し可能、または、取り外しできない格納デバイスを含み得る。ソフトウェアに実装される場合、機能は、１またはそれより多くの命令として格納され、または、送信されてもよく、また、コンピュータ読み出し可能媒体上のコードであってもよい。コンピュータ読み出し可能媒体は、１つの場所から他の場所へのコンピュータプログラムの転送を容易にする任意の媒体を含む、コンピュータ格納媒体および通信媒体の両方を含む。格納媒体は、汎用または専用コンピュータによってアクセスされ得る任意の利用可能な媒体であってよい。限定ではなく、例として、そのようなコンピュータ読み出し可能媒体は、命令またはデータ構造の形式での所望のプログラムコード手段を運び、または格納するために用いられ、汎用または専用コンピュータ、または、汎用または専用プロセッサによってアクセスされ得る、ＲＡＭ、ＲＯＭ、ＥＥＰＲＯＭ、ＣＤ−ＲＯＭ、または、他の光ディスクストレージ、磁気ディスクストレージまたは他の磁気的格納デバイス、または、任意の他の媒体を含むことができる。
【０１０６】
また、任意の接続は、正しく、コンピュータ読出し可能媒体と呼ばれる。例えば、ソフトウェアが、同軸ケーブル、光ファイバケーブル、撚り対線、デジタル加入者回線（digital subscriber line (DSL)）、または、赤外線、無線、マイクロ波などの無線技術を用いて、ウェブサイト、サーバ、または他の遠隔資源から送信される場合、該同軸ケーブル、光ファイバケーブル、撚り対線、ＤＳＬ、または、赤外線、無線、マイクロ波などの無線技術は、媒体の定義に含まれる。この中で用いられるディスク（Disk／disc）は、コンパクトディスク（compact disc (CD)）、レーザーディスク（登録商標）、光ディスク、ＤＶＤ（digital versatile disc (DVD)）、フロッピー（登録商標）ディスク、および、ブルーレイディスク（Blu-ray（登録商標） disc）を含む。ここで、”disc”はレーザを用いて光学的にデータを再生する一方、”disk”は、通常、磁気的にデータを再生する。また、上記のものの組み合わせは、コンピュータ読出し可能媒体の範囲の中に含まれる。
【０１０７】
一般に、プログラムモジュールは、特定のタスクを実行するか、特定のアブストラクトデータ形式を実装する、ルーチン、プログラム、オブジェクト、コンポーネント、データ構造、等を含み得る。データ構造やプログラムモジュールに関連するコンピュータ実行可能命令は、この中に開示される方法のステップを実行するためのプログラムコードの例を示す。そのような実行可能命令または関連するデータ構造の特性のシーケンスは、前記ステップまたはプロセスの中で記述される機能を実装するための対応する動作の例をあらわしている。
【０１０８】
この中に開示される態様に関連して記載される、様々な例示のロジック、論理ブロック、モジュール、および回路は、この中に記載される機能を実行するために設計される、汎用プロセッサ、デジタル信号プロセッサ（digital signal processor (DSP)）、特定用途集積回路（application specific integrated circuit (ASIC)）、フィールドプログラマブルゲートアレイ（field programmable gate array (FPGA)）、または他のプログラム可能論理デバイス、個別ゲートまたはトランジスタロジック、個別ハードウェアコンポーネント、またはそれらの任意の組み合わせを用いて実装され、または、実行され得る。汎用プロセッサは、マイクロプロセッサであってよいが、代わりに、プロセッサは、任意の従来のプロセッサ、コントローラ、マイクロコントローラ、または状態マシンであってもよい。プロセッサは、例えば、ＤＳＰとマイクロプロセッサの組み合わせ、複数のマイクロプロセッサ、ＤＳＰコアと接続される１またはそれより多くのマイクロプロセッサ、または他の任意の好適な構成のような、計算処理デバイスの組み合わせとして実装され得る。加えて、少なくとも１つのプロセッサは、この中に書かれる１またはそれより多くのステップおよび／または動作を実行するために動作可能である１またはそれより多くのモジュールを備えてもよい。
【０１０９】
ソフトウェア実装に関して、この中に書かれる技術は、このなかに書かれる機能を実行するモジュール（例えば、手続き、機能、等）を用いて実装され得る。ソフトウェアコードは、メモリユニットに格納され、プロセッサにより実行され得る。メモリユニットは、プロセッサの中に実装されても、および／または、プロセッサの外に実装されてもよく、外部実装の場合には、当該技術において知られているような様々な手段を介して、プロセッサとやり取りを行うように接続される。さらに、少なくとも１つのプロセッサは、この中に書かれる機能を実行するために動作可能な、１またはそれより多くのモジュールを有してもよい。
【０１１０】
この中に書かれる技術は、ＣＤＭＡ、ＴＤＭＡ、ＦＤＭＡ、ＯＦＤＭＡ、ＳＣ−ＦＤＭＡ、および他のシステムのような、さまざまな無線通信のために用いられ得る。システム（“system）およびネットワーク（network）の用語は、しばしば、互換的に用いられる。ＣＤＭＡシステムは、ユニバーサル地上無線接続（Universal Terrestrial Radio Access (UTRA)）、ｃｄｍａ２０００、等の無線技術を実装する。ＵＴＲＡは、広帯域ＣＤＭＡ（Wideband-CDMA (W-CDMA)）および他のＣＤＭＡの変形を含む。さらに、ｃｄｍａ２０００は、ＩＳ−２０００、ＩＳ−９５、およびＩＳ−８５６の規格をカバーする。ＴＤＭＡシステムは、ＧＳＭ（Global System for Mobile Communications (GSM（登録商標）)）などの無線技術を実装し得る。ＯＦＤＭＡシステムは、進化型ＵＴＲＡ（Evolved UTRA (E-UTRA)）、ウルトラモバイルブロードバンド（ Ultra Mobile Broadband (UMB)）、ＩＥＥＥ８０２．１１(Wi-Fi)、ＩＥＥＥ８０２．１６(WiMAX)、ＩＥＥＥ８０２．２０、Ｆｌａｓｈ−ＯＦＤＭ（登録商標）、などの無線技術を実装する。ＵＴＲＡおよびＥ−ＵＴＲＡは、ユニバーサル移動体通信システム（Universal Mobile Telecommunication System (UMTS)）の要素である。３ＧＰＰ ロングタームエボリューション（3GPP Long Term Evolution (LTE)）は、下りリンク上でＯＦＤＭＡを、上りリンク上でＳＣ−ＦＤＭＡを用いる、Ｅ−ＵＴＲＡを使用するＵＭＴＳの１つの版である。ＵＴＲＡ、Ｅ−ＵＴＲＡ、ＵＭＴＳ、ＬＴＥ、およびＧＳＭは、第三世代共同プロジェクト（3rd Generation Partnership Project (3GPP)）と名付けられた組織から発行のドキュメントに記載されている。加えて、ｃｄｍａ２０００およびＵＭＢは、第三世代共同プロジェクト２（3rd Generation Partnership Project 2 (3GPP2)）と名付けられた組織から発行のドキュメントに記載されている。さらに、そのような無線通信システムは、追加的に、対でなく許諾不要のスペクトル、８０２．ｘｘの無線ＬＡＮ、ＢＬＵＥＴＯＯＴＨ（登録商標）、および任意の他の短距離または長距離無線通信技術を用いる、ピアからピアへ（例えば、ユーザ機器からユーザ機器へ）の自律分散型（ad hoc）ネットワークシステムを有してもよい。
【０１１１】
単一の搬送波変調と周波数領域等価を利用する、単一搬送波・周波数分割多元接続（single carrier frequency division multiple access (SC-FDMA)）は、開示される実施形態とともに利用され得る技術である。ＳＣ−ＦＤＭＡは、ＯＦＤＭＡシステムと、同様の性能や本質的に類似の全体の複雑さをもつ。ＳＣ−ＦＤＭＡ信号は、その固有の単一搬送波構造故に、より低い、最大−平均電力比（peak-to-average power ratio (PAPR)）をもつ。より低いＰＡＰＲが送信電力の効率性に関してユーザ機器に利益をもたらすような上りリンク通信において、ＳＣ−ＦＤＭＡは利用され得る。
【０１１２】
さらに、この中に記載されるさまざまな態様や特徴は、標準のプログラミングおよび／またはエンジニアリング技術を用いる方法、装置または製品（article of manufacture）として実装され得る。この中で用いられるような製品（article of manufacture）の用語は、コンピュータ読出し可能デバイス、キャリア、または媒体からアクセス可能なコンピュータプログラムを包含することを意図される。例えば、コンピュータ読出し可能媒体は、それらに限定はされないが、磁気格納デバイス（例えば、ハードディスク、フロッピーディスク、磁気帯、など）、光ディスク（例えば、コンパクトディスク（compact disk (CD)）、ＤＶＤ（digital versatile disk (DVD)））、スマートカード、および、フラッシュメモリデバイス（例えば、ＥＰＲＯＭ、カード、スティック、キードライブ（key drive）、などを含み得る。加えて、この中に書かれるさまざまな格納媒体は、情報を格納するための１またはそれより多くのデバイス、および／または、他の機械読み出し可能媒体（machine-readable media）を示すことができる。機械読み出し可能媒体（machine-readable media）の用語は、それらに限定されることなく、命令および／またはデータを格納し、包含し、および／または運ぶことのできる、無線チャネルやさまざまな他の媒体を含み得る。加えて、コンピュータプログラム製品は、コンピュータに、この中に書かれる機能をコンピュータに実行せしめるために動作可能な１またはそれより多くの命令またはコードを有するコンピュータ読出し可能媒体を含み得る。
【０１１３】
さらに、この中に開示される態様に関連して記載される方法またはアルゴリズムのステップおよび／または動作は、ハードウェアの中に直接に、プロセッサにより実行されるソフトウェアモジュールの中に、または、前記２者の組み合わせの中に具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または、当該技術において知られる他の形の格納媒体の中に存在し得る。例示の格納媒体は、プロセッサが格納媒体から情報を読み、格納媒体に情報を書くことを可能にするように、プロセッサに接続され得る。代わりに、格納媒体は、プロセッサと一体であってもよい。さらに、いくつかの実施形態において、プロセッサと格納媒体は、ＡＳＩＣのなかに在ってもよい。加えて、ＡＳＩＣは、ユーザ機器の中に在ってもよい。代わりに、プロセッサと格納媒体は、ユーザ機器の中に、個別コンポーネントとして存在してもよい。加えて、いくつかの実施形態では、方法またはアルゴリズムのステップおよび／または動作は、コンピュータプログラム製品の中に組み込まれ得る、機械読み出し可能媒体および／またはコンピュータ読出し可能媒体上のコードおよび／または命令の１つ、または任意の組み合わせ、または集合として存在してもよい。
【０１１４】
先の開示は、実例となる実施形態を検討しているが、添付の請求の範囲により定義されるような、記載される実施形態の範囲から逸脱することなく、さまざまな変更や修飾がなされ得ることは注記されるべきである。従って、記載される実施形態は、付帯の請求の範囲の範囲内にはいる、そのような変更、修飾、および、他の様式の全てを包含するよう意図されている。さらに、記載される実施形態の要素は単数で記載され、または請求され得るが、単数への限定が明確に述べられていない限り、複数が考えられる。加えて、別途述べられない限り、任意の実施形態の全てまたは一部は、任意の他の実施形態の全てまたは一部とともに利用されることができる。
【０１１５】
「含む、有する（include）」という用語が、詳細な説明または請求の範囲のいずれかで使われるかぎり、当該用語は、「備える（comprising）」が請求の範囲の遷移用語（transitional word）として用いられる場合に解釈されるように、「備える、もつ（comprising）」という用語と同様に、非排他的であると解釈される。さらに、詳細な説明または請求の範囲のいずれかで用いられる場合、「または（or）」の用語は、排他的な「または（or）」よりもむしろ、非排他的な「または（or）」を意味するよう意図される。すなわち、別途特定される、または文脈から明瞭であることがない限り、「ＸはＡまたはＢを使用する」との文節は、自然で非排他的な順列のいずれをも意味するよう意図される。すなわち、「ＸはＡまたはＢを使用する」との文節は、以下の事例のいずれによっても満足される：  「ＸはＡを使用する。」、「ＸはＢを使用する。」、または「Ｘは、ＡとＢの両方を使用する。」。加えて、この出願および付帯の請求の範囲において用いられるような“a” や“an”の冠詞は、一般的に、単数形に向けられると別途特定されるか、または文脈から明瞭でない限り、「１またはそれより多く」を意味すると解釈される。
以下に、本願出願の当初の特許請求の範囲に記載された発明を付記する。
［Ｃ１］  送信電力制御コマンドを受信することと、
前記送信電力制御コマンドにもとづいて、指令される送信電力レベルを決定することと、
前記指令される送信電力レベルにもとづいて、送信電力レベルを調整することと、を備え、
前記送信電力レベルは、送信帯域幅パラメータ、トランスポートフォーマットパラメータ、および電力刻みの大きさ制限の少なくともひとつから切り離される、方法。
［Ｃ２］  前記送信電力レベルを、最小送信電力閾値と最大送信電力閾値との少なくとも１つから切り離すこと、をさらに備える、Ｃ１に記載の方法。
［Ｃ３］  前記送信電力レベルを調整することは、
前記指令される送信電力レベルを最大送信電力閾値と比較することと、
前記指令される送信電力レベルと前記最大送信電力閾値との間の最小値を選択することと、
を備える、Ｃ１に記載の方法。
［Ｃ４］  前記指令される送信電力レベルが前記最大送信電力閾値より大きいか等しい場合、送信電力上昇コマンドを動作不能にすること、
をさらに備える、Ｃ３に記載の方法。
［Ｃ５］  前記送信電力レベルを調整することは、
前記指令される送信電力レベルを最小送信電力閾値と比較することと、
前記指令される送信電力レベルと前記最小送信電力閾値との間の最大値を選択することと、
を備える、Ｃ１に記載の方法。
［Ｃ６］  前記指令される送信電力レベルが前記最小送信電力閾値より小さいか等しい場合、送信電力降下コマンドを動作不能にすること、
をさらに備える、Ｃ５に記載の方法。
［Ｃ７］  前記送信帯域幅パラメータを、固定される、または、半持続性の最小帯域幅パラメータと置き換えること、
をさらに備える、Ｃ１に記載の方法。
［Ｃ８］  前記送信帯域幅パラメータを、固定される、または、半持続性の最大帯域幅パラメータと置き換えること、
をさらに備える、Ｃ１に記載の方法。
［Ｃ９］  前記トランスポートフォーマットパラメータを、基準変調および符号化形式をもつ、固定される、または半持続性のトランスポートフォーマットパラメータと置き換えること、
をさらに備える、Ｃ１に記載の方法。
［Ｃ１０］  前記指令される送信電力レベルの値が、最小送信電力閾値の値より大きく、最大送信電力閾値の値より小さいときに、前記送信帯域幅パラメータを用いることと、
前記指令される送信電力レベルの値が、前記最大送信電力閾値の値より大きいか等しい、または、前記最小送信電力閾値の値より小さいか等しいときに、前記送信帯域幅パラメータを、固定される、または半持続性送信帯域幅パラメータのひとつと置き換えることと、
をさらに備える、Ｃ１に記載の方法。
［Ｃ１１］  前記指令される送信電力レベルの値が、最小送信電力閾値の値より大きく、最大送信電力閾値の値より小さいときに、前記送信フォーマットパラメータを用いることと、
前記指令される送信電力レベルの値が、前記最大送信電力閾値の値より大きいか等しい、または、前記最小送信電力閾値の値より小さいか等しいときに、前記送信フォーマットパラメータを、固定される、または半持続性送信フォーマットパラメータのひとつと置き換えることと、
をさらに備える、Ｃ１に記載の方法。
［Ｃ１２］  前記送信電力レベルを調整することは、
ｎ番目の時間間隔に係る差分送信電力制御コマンドを受信することと、
ｎ番目の時間間隔において、前記差分送信電力制御コマンドと（ｎ−１）番目の時間間隔に対して使われる送信電力レベルの合計に対応する電力レベルで送信することと、
を備える、Ｃ１に記載の方法。
［Ｃ１３］  前記指令される送信電力レベルの値が最小送信電力閾値の値より大きく、最大送信電力閾値の値よりも小さいときに、前記送信電力レベルを調整するために、前記送信帯域幅パラメータと送信フォーマットパラメータを用いることと、
前記指令される送信電力レベルの値が前記最小送信電力閾値の値より小さいか等しいときに、前記送信電力レベルを、前記最小送信電力閾値の上の第１のオフセットに設定することと、
前記指令される送信電力レベルの値が前記最大送信電力閾値の値より大きいか等しいときに、前記送信電力レベルを、前記最大送信電力閾値の下の第２のオフセットに設定することと、
をさらに備える、Ｃ１に記載の方法。
［Ｃ１４］  前記指令される送信電力レベルは、観測基準信号帯域幅の基準値にもとづく、Ｃ１に記載の方法。
［Ｃ１５］  基準変調および符号化形式をもつ、固定される、または半持続性のトランスポートフォーマットパラメータにもとづいて、電力の余裕分の情報を報告すること、
をさらに備える、Ｃ１に記載の方法。
［Ｃ１６］  前記指令される送信電力レベルの値が、前記最大送信電力閾値の値より大きいか等しい場合に、前記電力刻みの大きさの制限を無視することと、前記送信電力レベルを基準値にリセットすることと、
をさらに備える、Ｃ２に記載の方法。
［Ｃ１７］  前記指令される送信電力レベルの値が、前記最小送信電力閾値の値より小さいか等しい場合に、前記電力刻みの大きさの制限を無視することと、前記送信電力レベルを基準値にリセットすることと、
をさらに備える、Ｃ２に記載の方法。
［Ｃ１８］  あらかじめ定められる数の電力降下コマンドが受信され、前記指令される送信電力レベルの値が前記最大送信電力閾値の値より大きいか等しい場合、前記送信電力レベルを基準値にリセットすること、
をさらに備える、Ｃ２に記載の方法。
［Ｃ１９］  あらかじめ定められる数の電力上昇コマンドが受信され、前記指令される送信電力レベルの値が前記最小送信電力閾値の値より小さいか等しい場合、前記送信電力レベルを基準値にリセットすること、
をさらに備える、Ｃ２に記載の方法。
［Ｃ２０］  送信電力制御コマンドを受信するための手段と、
前記送信電力制御コマンドにもとづいて、指令される送信電力レベルを決定するための手段と、
前記指令される送信電力レベルにもとづいて、送信電力レベルを調整するための手段と、を備え、
前記送信電力レベルは、送信帯域幅パラメータ、トランスポートフォーマットパラメータ、および電力刻みの大きさ制限の少なくともひとつから切り離される、装置。
［Ｃ２１］  前記送信電力レベルを、最小送信電力閾値と最大送信電力閾値との少なくとも１つから切り離すこと、をさらに備える、Ｃ２０に記載の装置。
［Ｃ２２］  前記送信電力レベルを調整するための手段は、
前記指令される送信電力レベルを最大送信電力閾値と比較するための手段と、
前記指令される送信電力レベルと前記最大送信電力閾値との間の最小値を選択するための手段と、
を備える、Ｃ２０に記載の装置。
［Ｃ２３］  前記指令される送信電力レベルが前記最大送信電力閾値より大きいか等しい場合、送信電力上昇コマンドを動作不能にするための手段と、
をさらに備える、Ｃ２２に記載の装置。
［Ｃ２４］  前記送信電力レベルを調整するための前記手段は、
前記指令される送信電力レベルを最小送信電力閾値と比較するための手段と、
前記指令される送信電力レベルと前記最小送信電力閾値との間の最大値を選択するための手段と、
を備える、Ｃ２０に記載の装置。
［Ｃ２５］  前記指令される送信電力レベルが前記最小送信電力閾値より小さいか等しい場合、送信電力降下コマンドを動作不能にするための手段、
をさらに備える、Ｃ２４に記載の装置。
［Ｃ２６］  前記送信帯域幅パラメータを、固定される、または、半持続性の最小帯域幅パラメータと置き換えるための手段、
をさらに備える、Ｃ２０に記載の装置。
［Ｃ２７］  前記送信帯域幅パラメータを、固定される、または、半持続性の最大帯域幅パラメータと置き換えるための手段、
をさらに備える、Ｃ２０に記載の装置。
［Ｃ２８］  前記トランスポートフォーマットパラメータを、基準変調および符号化形式をもつ、固定される、または半持続性のトランスポートフォーマットパラメータと置き換えるための手段、
をさらに備える、Ｃ２０に記載の装置。
［Ｃ２９］  前記指令される送信電力レベルの値が、前記最大送信電力閾値の値より大きいか等しい場合に、前記電力刻みの大きさの制限を無視し、前記送信電力レベルを基準値にリセットするための手段、
をさらに備える、Ｃ２１に記載の装置。
［Ｃ３０］  前記指令される送信電力レベルの値が、前記最小送信電力閾値の値より小さいか等しい場合に、前記電力刻みの大きさの制限を無視し、前記送信電力レベルを基準値にリセットするための手段、
をさらに備える、Ｃ２１に記載の装置。
［Ｃ３１］  あらかじめ定められる数の電力降下コマンドが受信され、前記指令される送信電力レベルの値が前記最大送信電力閾値の値より大きいか等しい場合、前記送信電力レベルを基準値にリセットするための手段、
をさらに備える、Ｃ２１に記載の装置。
［Ｃ３２］  あらかじめ定められる数の電力上昇コマンドが受信され、前記指令される送信電力レベルの値が前記最小送信電力閾値の値より小さいか等しい場合、前記送信電力レベルを基準値にリセットするための手段、
をさらに備える、Ｃ２１に記載の装置。
［Ｃ３３］  前記指令される送信電力レベルの値が、最小送信電力閾値の値より大きく、最大送信電力閾値の値より小さいときに、前記送信帯域幅パラメータを用いるための手段と、
前記指令される送信電力レベルの値が、前記最大送信電力閾値の値より大きいか等しい、または、前記最小送信電力閾値の値より小さいか等しいときに、前記送信帯域幅パラメータを、固定される、または半持続性送信帯域幅パラメータのひとつと置き換えるための手段と、
をさらに備える、Ｃ２０に記載の装置。
［Ｃ３４］  前記指令される送信電力レベルの値が、最小送信電力閾値の値より大きく、最大送信電力閾値の値より小さいときに、前記送信フォーマットパラメータを用いるための手段と、
前記指令される送信電力レベルの値が、前記最大送信電力閾値の値より大きいか等しい、または、前記最小送信電力閾値の値より小さいか等しいときに、前記送信フォーマットパラメータを、固定される、または半持続性送信フォーマットパラメータのひとつと置き換えるための手段と、
をさらに備える、Ｃ２０に記載の装置。
［Ｃ３５］  前記送信電力レベルを調整するための前記手段は、
ｎ番目の時間間隔に係る差分送信電力制御コマンドを受信するための手段と、
ｎ番目の時間間隔において、前記差分送信電力制御コマンドと（ｎ−１）番目の時間間隔に対して使われる送信電力レベルの合計に対応する電力レベルで送信するための手段と、
を備える、Ｃ２０に記載の装置。
［Ｃ３６］  前記指令される送信電力レベルの値が最小送信電力閾値の値より大きく、最大送信電力閾値の値よりも小さいときに、前記送信電力レベルを調整するために、前記送信帯域幅パラメータと送信フォーマットパラメータを用いるための手段と、
前記指令される送信電力レベルの値が前記最小送信電力閾値の値より小さいか等しいときに、前記送信電力レベルを、前記最小送信電力閾値の上の第１のオフセットに設定するための手段と、
前記指令される送信電力レベルの値が前記最大送信電力閾値の値より大きいか等しいときに、前記送信電力レベルを、前記最大送信電力閾値の下の第２のオフセットに設定するための手段と、
をさらに備える、Ｃ２０に記載の装置。
［Ｃ３７］  機械によって読まれると、前記機械に、
送信電力制御コマンドを受信と、
前記送信電力制御コマンドにもとづいて、指令される送信電力レベルを決定と、
前記指令される送信電力レベルにもとづいて、送信電力レベルを調整と、
をさせる命令をもつ、一時的でない、機械読み出し可能な格納媒体を備え、
前記送信電力レベルは、送信帯域幅パラメータ、トランスポートフォーマットパラメータ、および電力刻みの大きさ制限の少なくともひとつから切り離される、製品。
［Ｃ３８］  前記機械に、最小送信電力閾値と最大送信電力閾値との少なくとも１つから前記送信電力レベルを切り離させる命令をさらにもつ、Ｃ３７に記載の製品。
［Ｃ３９］  前記機械に、前記送信帯域幅パラメータを、固定される、または、半持続性の最小帯域幅パラメータと置き換えさせる命令をさらにもつ、Ｃ３７に記載の製品。
［Ｃ４０］  前記機械に、前記送信帯域幅パラメータを、固定される、または、半持続性の最大帯域幅パラメータと置き換えさせる命令をさらにもつ、Ｃ３７に記載の製品。
［Ｃ４１］  前記機械に、前記トランスポートフォーマットパラメータを、基準変調および符号化形式をもつ、固定される、または半持続性のトランスポートフォーマットパラメータと置き換えさせる命令をさらにもつ、Ｃ３７に記載の製品。
［Ｃ４２］  前記機械に、前記指令される送信電力レベルの値が、前記最大送信電力閾値の値より大きいか等しい場合に、前記電力刻みの大きさの制限を無視し、前記送信電力レベルを基準値にリセットさせる命令をさらにもつ、Ｃ３８に記載の製品。
［Ｃ４３］  前記機械に、前記指令される送信電力レベルの値が、前記最小送信電力閾値の値より小さいか等しい場合に、前記電力刻みの大きさの制限を無視し、前記送信電力レベルを基準値にリセットさせる命令をさらにもつ、Ｃ３８に記載の製品。
［Ｃ４４］  プロセッサと、
前記プロセッサにより実行されると、
送信電力制御コマンドを受信と、
前記送信電力制御コマンドにもとづいて、指令される送信電力レベルを決定と、
前記指令される送信電力レベルにもとづいて、送信電力レベルを調整と、
をするために装置を構成する、プロセッサ実行可能命令をもつメモリと、
を備え、
前記送信電力レベルは、送信帯域幅パラメータ、トランスポートフォーマットパラメータ、および電力刻みの大きさ制限の少なくともひとつから切り離される、装置。
［Ｃ４５］  最小送信電力閾値と最大送信電力閾値との少なくとも１つから前記送信電力レベルを切り離すために前記装置を構成する命令をさらに備える、Ｃ４４に記載の装置。
［Ｃ４６］  前記送信帯域幅パラメータを、固定される、または、半持続性の最小帯域幅パラメータと置き換えるために前記装置を構成する命令をさらに備える、Ｃ４４に記載の装置。
［Ｃ４７］  前記送信帯域幅パラメータを、固定される、または、半持続性の最大帯域幅パラメータと置き換えるために前記装置を構成する命令をさらに備える、Ｃ４４に記載の装置。
［Ｃ４８］  前記トランスポートフォーマットパラメータを、基準変調および符号化形式をもつ、固定される、または半持続性のトランスポートフォーマットパラメータと置き換えるために前記装置を構成する命令をさらに備える、Ｃ４４に記載の装置。
［Ｃ４９］  移動体デバイスから経路損失推定を受信することと、
前記移動体デバイスに送信電力制御コマンドを送信すること、ここで、前記送信制御コマンドは、送信帯域幅パラメータ、トランスポートフォーマットパラメータ、および電力刻みの大きさの制限の少なくともひとつから切り離され、前記送信電力制御コマンドは、前記移動体デバイスの送信電力レベルを調整するよう構成される、と、
を備える、方法。
［Ｃ５０］  移動体デバイスから経路損失推定を受信するための手段と、
前記移動体デバイスに送信電力制御コマンドを送信するための手段と、ここで、前記送信制御コマンドは、送信帯域幅パラメータ、トランスポートフォーマットパラメータ、および電力刻みの大きさの制限の少なくともひとつから切り離され、前記送信電力制御コマンドは、前記移動体デバイスの送信電力レベルを調整するよう構成される、と、
を備える、装置。
［Ｃ５１］  機械によって読まれると、前記機械に、
移動体デバイスから経路損失推定を受信と、
前記移動体デバイスに送信電力制御コマンドを送信、ここで、前記送信制御コマンドは、送信帯域幅パラメータ、トランスポートフォーマットパラメータ、および電力刻みの大きさの制限の少なくともひとつから切り離され、前記送信電力制御コマンドは、前記移動体デバイスの送信電力レベルを調整するよう構成される、と、
をさせる命令をもつ、一時的でなく、機械読み出し可能な格納媒体を備える、製品。
［Ｃ５２］  プロセッサと、
前記プロセッサにより実行されると、
移動体デバイスから経路損失推定を受信と、
前記移動体デバイスに送信電力制御コマンドを送信、ここで、前記送信制御コマンドは、送信帯域幅パラメータ、トランスポートフォーマットパラメータ、および電力刻みの大きさの制限の少なくともひとつから切り離され、前記送信電力制御コマンドは、前記移動体デバイスの送信電力レベルを調整するよう構成される、と、
をするために装置を構成するプロセッサ実行可能命令をもつメモリと、
を備える、装置。
［Ｃ５３］  複数の基準帯域幅または複数の変調および符号化形式（modulation and coding scheme (MCS)）に対応する複数の上りリンク送信電力制御ループを維持することと、
下りリンク制御チャネルにおいて受信される送信電力制御コマンド（transmit power control command (TPC)）で、前記複数の上りリンク送信電力制御ループの各々を更新することと、
前記下りリンク制御チャネルにおける帯域幅割り当てと前記下りリンク制御チャネルにおけるＭＣＳ割り当てとの少なくとも一方にもとづいて、上りリンク送信電力を制御するために、前記複数の上りリンク送信電力制御ループのひとつを選択することと、
を備える、方法。
［Ｃ５４］  前記下りリンク制御チャネルにおける前記帯域幅割り当てと前記ＭＣＳ割り当てとの少なくとも一方は変更され、前記上りリンク送信電力を制御するために、前記複数の上りリンク送信電力制御ループの他を選択すること、
をさらに備える、Ｃ５３に記載の方法。
［Ｃ５５］  前記複数の基準帯域幅の各々は、上りリンクリソース割り当ての対応する範囲により定められる帯域幅割り当ての範囲に対応する、Ｃ５３に記載の方法。
［Ｃ５６］  複数の基準帯域幅または複数の変調および符号化形式（modulation and coding scheme (MCS)）に対応する複数の上りリンク送信電力制御ループを維持するための手段と、
下りリンク制御チャネルにおいて受信される送信電力制御コマンド（transmit power control command (TPC)）で、前記複数の上りリンク送信電力制御ループの各々を更新するための手段と、
前記下りリンク制御チャネルにおける帯域幅割り当てと前記下りリンク制御チャネルにおけるＭＣＳ割り当てとの少なくとも一方にもとづいて、上りリンク送信電力を制御するために、前記複数の上りリンク送信電力制御ループのひとつを選択するための手段と、
を備える、装置。
［Ｃ５７］  複数の搬送波に対応する複数の上りリンク送信電力制御ループを維持することと、
前記複数の搬送波の各々に係る、指令される送信電力レベルを決めるために、搬送波固有の送信電力制御コマンドにもとづいて、前記複数の上りリンク送信電力制御ループの各々を更新することと、
前記複数の搬送波の各々に係る前記指令される送信電力レベルを、端末固有の最大送信電力と搬送波固有の最大送信電力との少なくとも一方と比較することと、
前記端末固有の最大送信電力、前記搬送波固有の最大送信電力、および前記複数の搬送波の各々に係る前記指令される送信電力レベルの内の最小のものを選択することと、
を備える、方法。
［Ｃ５８］  複数の搬送波に対応する複数の上りリンク送信電力制御ループを維持するための手段と、
前記複数の搬送波の各々に係る、指令される送信電力レベルを決めるために、搬送波固有の送信電力制御コマンドにもとづいて、前記複数の上りリンク送信電力制御ループの各々を更新するための手段と、
前記複数の搬送波の各々に係る前記指令される送信電力レベルを、端末固有の最大送信電力と搬送波固有の最大送信電力との少なくとも一方と比較するための手段と、
前記端末固有の最大送信電力、前記搬送波固有の最大送信電力、および前記複数の搬送波の各々に係る前記指令される送信電力レベルの内の最小のものを選択するための手段と、
を備える、装置。
【図１】
0005951816.tif 000015
【図２】
0005951816.tif 000016
【図３】
0005951816.tif 000017
【図４】
0005951816.tif 000018
【図５】
0005951816.tif 000019
【図６】
0005951816.tif 000020
【図７】
0005951816.tif 000021
【図８】
0005951816.tif 000022
【図９】
0005951816.tif 000023
【図１０】
0005951816.tif 000024
【図１１】
0005951816.tif 000025
【図１２】
0005951816.tif 000026
【図１３】
0005951816.tif 000027
【図１４】
0005951816.tif 000028
【図１５】
0005951816.tif 000029
【図１６】
0005951816.tif 000030